(57)【要約】【課題】昇降時の膝蓋部周辺の靭帯や筋肉の柔軟性を向上して保護し、膝関節部位の障害を予防する弾性保護具。【解決手段】裏面に押圧部を取付けた膝カバー弾性部材と、前記膝カバー弾性部材の上部表面に一端を取付けて上部係止端部を外方に延長した上部主拘束弾性部材と、前記膝カバー弾性部材の下部表面に前記上部拘束弾性部材に平行で反対方向に取り付けて下部係止端部を外方に延長した下部主拘束弾性部材と、前記上部主拘束部材、下部拘主束部材の先端部裏面に取り付けた面フアスナー雄（鍵）片と、前記上部主拘束部材、下部主拘束部材の表面に取り付けた面フアスナー雌（輪）片と、を備えて、膝の屈折時で生ずる膝カバー弾性部材の伸縮作用による横方向型の圧縮力と、膝カバー弾性部材の取付け時の直下型の圧縮力との合成圧縮力を膝関節部位に作用させる。【選択図】  図１
2010168677.tif 000002
【特許請求の範囲】
【請求項１】
押圧部を立設した接縁型複数押圧部付き楕円形係留部材、中央型複数押圧部付き楕円形係留部材、接縁型単数押圧部付き楕円形係留部材、接縁型単数押圧部付き円形係留部材、中央型単数押圧部付き円形係留部材、中央型単数押圧部付き楕円形係留部材の内の同種、または、異種の複数の組合せからなる係留部材のいずれかを裏面に取り付けた膝カバー弾性部材と、
前記膝カバー弾性部材の表面に相互に平行して片方の端部を取付けて、他方の端部の係止端部をそれぞれ外方向に伸ばして配置した複数の拘束弾性部材と、
前記拘束弾性部材の表面に取り付けた面フアスナー雌（輪）片と、
前記拘束弾性部材の他方の端部の係止端部に取り付けた面フアスナー雄（鍵）片と、
を備えた係留部材付き膝カバー弾性保護具。
【請求項２】
請求項１において、
着用者の大腿下部、膝蓋部、脛上部に対面するように形成された膝カバー弾性部材と、
前記膝カバー弾性部材の上部表面に片方の端部を取付けて、他方の端部の上部主係止端部を外方向に伸ばして配置した上部主拘束弾性部材と、
前記上部主拘束弾性部材と平行で、反対方向に前記膝カバー弾性部材の下部表面に片方の端部を取付けて、他方の端部の下部主係止端部を外方向に伸ばして配置した下部主拘束弾性部材と、
前記上部主係止端部、下部主係止端部の裏面に取り付けた面フアスナー雄（鍵）片と、
前記上部主拘束弾性部材、下部主拘束弾性部材の表面に取り付けた面フアスナー雌（輪）片と、
を備えたことを特徴とする係留部材付き膝カバー弾性保護具。
【請求項３】
請求項１において、
着用者の大腿部、大腿下部、膝蓋部、脛上部、脛部に対面するように形成された膝カバー弾性部材と、
大腿下部に対面する前記膝カバー弾性部材の上部表面に片方の端部を取付けて、他方の端部の上部主係止端部を外方向に伸ばして配置した上部主拘束弾性部材と、
脛上部に対面する前記膝カバー弾性部材の下部表面に、前記上部主拘束弾性部材と平行で、反対方向に片方の端部を取付けて、他方の端部の下部主係止端部を外方向に伸ばして配置した下部主拘束弾性部材と、
裏面が大腿部に接触する前記膝カバー弾性部材の上端部表面に、前記上部主拘束弾性部材と並行で、反対方向に片方の端部を取付けて、他方の端部の上部副係止端部を外方向に伸ばして配置した上部副拘束弾性部材と、
裏面が脛部に接触する前記膝カバー弾性部材の下端部表面に、前記下部主拘束弾性部材と並行で、反対方向に片方の端部を取付けて、他方の端部の下部副係止端部を外方向に伸ばして配置した下部副拘束弾性部材と、
前記上部主係止端部、前記下部主係止端部、前記上部副係止端部、前記下部副係止端部の裏面に取り付けた面フアスナー雄（鍵）片と、
前記上部主拘束弾性部材、前記下部主拘束弾性部材、前記上部副拘束弾性部材、前記下部副拘束弾性部材の表面に取り付けた面フアスナー雌（輪）片と、
を備えたことを特徴とする係留部材付き膝カバー弾性保護具。
【発明の詳細な説明】
【技術分野】
【０００１】
本発明は、昇降時の膝蓋部周辺の靭帯や筋肉の柔軟性を向上して障害を予防し、膝蓋部周辺を保護する弾性保護具に関する。
【背景技術】
【０００２】
従来の膝用サポーターで、着用者の膝蓋部に対応する位置に開口を有するとともに、前面側に止着部を有する展開可能なサポーター本体と、扁平な概略Ｖ字状に延設されるとともに、その屈曲部および各端部にそれぞれ第一および第２の止着部を有し、前記第１の止着部が前記サポーター本体の前面側および後面側の下腿部対応箇所に着脱自在に設けられ、前記第２の止着部が前記サポーター本体の前面側の大腿対応箇所に着脱自在に設けられた伸縮自在なストラップ部材と、を備えた膝用サポーターがある。（例えば特許文献１参照。）。
【０００３】
また、関節の周囲に装着され、関節の曲がりの外側、内側の一方又は両方に、関節の曲げを容易化する孔部を有し、関節の側面の一方又は両方に、転倒時の衝撃を緩和する保護部材を有して運動性を阻害することが少ない膝、肘用サポーターがある。（例えば特許文献２参照。）。
【０００４】
また、膝の上部に巻き付け固定される上部固定部、膝の下部に巻き付け固定される下部固定部、上部固定部及び下部固定部が所定位置に固定されるとき膝蓋骨の前面側において上下方向に配置される第１補助部材、基部が第１補助部材の一方側において上部固定部及び下部固定部に取付けられ、端部が第１補助部材の他方側まで伸びて上部固定部に取付自在とされた略Ｖ字状の第２補助部材、基部が第１補助部材の前記一方側において上部固定部及び下部固定部に取付けられ、端部が第１補助部材の前記他方側まで伸びて下部固定部に取付自在とされた略Ｖ字状の第３補助部材からなり、かつ上部固定部、下部固定部及び第１〜第３補助部材はすべて伸縮性を有する膝装着用サポーターがある。（例えば特許文献３参照。）。
【０００５】
体型あるいは患部の位置に応じて異なるツボ位置へ健康促進部材を任意に取着でき、また関節等の屈伸に影響を与えず、装着状態もスマートとなるサポーターとして、伸縮性を有する両面パイル生地からなるサポーター主体の一端部片面に、表面を面ファスナー雄面とした止着片を取付けるとともに、該止着片の取着面側の任意の位置に、磁石等の健康促進部材を固定した単一又は複数の面ファスナー雄片を脱着自在に重着した考案がある。（例えば特許文献４参照。）。
【０００６】
また、腹帯であるため常に巻着・締着が出来て、又、着脱が簡単であり巻着・締着した儘で寝返りをしても、駒器具は壷（急所）から、はずれて移動することがないことを課題として、本体となる腹帯は、適当な厚サ・巾・長サで伸縮する素材Ａを使用した、その腹帯と駒器具で構成する。腹帯の背面側の腰及び背筋が当たる部位は、外側と内側の二重層の袋状とする。外側の層は伸縮する素材として、内側の層は肌側は伸縮する素材として、内側の層は肌側全面にマジック布を施した素材Ｂを、素材Ａに縫着したことを、特徴とする腰・背筋の壺を自在に選び押圧する腹帯・駒器具がある。（例えば特許文献５参照。）。
【０００７】
また、強力な磁力線を腰等の患部に放射でき、身体への着用性の改善を図ることのできる磁気ベルトとして、ネオジ磁石を複数有し、隣り合うネオジ磁石の磁極の向きが反対になるように配列した磁石パットと、該磁石パットを着脱自在に取り付ける取付手段を内面に有する当該支持部と、該当接支持部の両側に延長する伸縮部と、両方の伸縮部の先端側に延長しかつ外面に雌型面ファスナーを有する先端係合部と、一方の先端係合部の内面に設けられて他方の先端係合部の雌型面ファスナーに係合自在な雄型面ファスナーを有するベルト本体と、前記当該支持部に接続されて両側に延長し、先端部分の内面に前記雌型面ファスナーに係合自在な雄型面ファスナーを有する締付弾性バンド部とを備えたことを特徴とする磁気ベルトがある。（例えば特許文献６参照。）。
【０００８】
また、身体の腰部の背中側に位置する硬性の背面部と、この背面部の両側に伸縮自在に連結される調整部と、これら調整部の各端部に接続されて互いを連結する一対の止着部とにより、身体の腰部に巻き掛け装着する腰ベルトを形成し、上記背面部の内側面には適宜数の圧迫体を着脱自在かつ移動自在に付着したことを特徴とする指圧ベルトがある。（例えば特許文献７参照。）。
【先行技術文献】
【特許文献】
【０００９】
【特許文献１】特開２００２−８８５３４号公報
【特許文献２】特開平１１−１９２３３３号公報
【特許文献３】特開２００２−１９１６２９号公報
【特許文献４】実開平６−０３８９４７号公報
【特許文献５】特開平１１−２７６５４６号公報
【特許文献６】特開２００２−１３６６０９号公報
【特許文献７】実開６２−９２８２７号公報
【発明の概要】
【発明が解決しようとする課題】
【００１０】
従来の膝用サポーターは、着用者のパンツやズボンの上から膝蓋部周辺の窪み部に圧縮力を加えて保持することが困難であるという問題があった。
【００１１】
また、従来の膝用サポーターは、両側から相対して捲着する構成であるため、着用者の膝蓋部表面や膝蓋部周辺の窪み部に、着用者の個人差や症状に応じた締付力を強弱調節して圧力を加えることができないという問題があった。
【００１２】
また、従来の膝用サポーターは、その捲着方式のため、必然的に膝カバー弾性部材の上下部裏面の肌面に対する締着力の調節機能がないので、膝の屈折時に生ずる膝カバー弾性部材の引張力を、膝蓋部表面や膝蓋部周辺に有効に利用することができないという問題があった。
【００１３】
本発明は、従来の膝用サポーターの前記問題を解決して、着用者の膝蓋部周辺の靭帯や筋肉の柔軟性を向上して保護し、膝関節部位の障害を予防する弾性保護具を提供することを目的とする。
【課題を解決するための手段】
【００１４】
本発明は、押圧部を立設した接縁型複数押圧部付き楕円形係留部材、中央型複数押圧部付き楕円形係留部材、接縁型単数押圧部付き楕円形係留部材、接縁型単数押圧部付き円形係留部材、中央型単数押圧部付き円形係留部材、中央型単数押圧部付き楕円形係留部材の内の同種、または、異種の複数の組合せからなる係留部材のいずれかを、膝カバー弾性部材の裏面にとりつけるが、押圧部は、前記膝カバー弾性部材の中央の膝蓋部の周縁部に対面する肌面の窪み部や、前記膝蓋部の表面の窪み部を圧着するように取り付ける。
【００１５】
第１の課題解決手段は、押圧部を立設した係留部材を裏面に取付け、着用者の大腿下部、膝蓋部、脛上部に対面するように形成された膝カバー弾性部材と、前記膝カバー弾性部材の上部表面に片方の端部を取付けて、他方の端部の上部主係止端部を外方向に伸ばして配置した上部主拘束弾性部材と、前記上部主拘束弾性部材と平行で、反対方向に前記膝カバー弾性部材の下部表面に片方の端部を取付けて、他方の端部の下部主係止端部を外方向に伸ばして配置した下部主拘束弾性部材と、前記上部主係止端部、下部主係止端部の裏面に取り付けた面フアスナー雄（鍵）片と、前記上部主拘束弾性部材、下部主拘束弾性部材の表面に取り付けた面フアスナー雌（輪）片と、を備えたことを特徴とする係留部材付き二本拘束膝カバー弾性保護具である。
【００１６】
第２の課題解決手段は、押圧部を立設した係留部材を裏面に取付け、着用者の大腿部、大腿下部、膝蓋部、脛上部、脛部に対面するように形成された膝カバー弾性部材と、大腿下部に対面する前記膝カバー弾性部材の上部表面に片方の端部を取付けて、他方の端部の上部主係止端部を外方向に伸ばして配置した上部主拘束弾性部材と、脛上部に対面する前記膝カバー弾性部材の下部表面に、前記上部主拘束弾性部材と平行で反対方向に、片方の端部を取付けて、他方の端部の下部主係止端部を外方向に伸ばして配置した下部主拘束弾性部材と、裏面が大腿部に接触する前記膝カバー弾性部材の上端部表面に、前記上部主拘束弾性部材と並行で、反対方向に片方の端部を取付けて、他方の端部の上部副係止端部を外方向に伸ばして配置した上部副拘束弾性部材と、裏面が脛部に接触する前記膝カバー弾性部材の下端部表面に、前記下部主拘束弾性部材と並行で、反対方向に片方の端部を取付けて、他方の端部の下部副係止端部を外方向に伸ばして配置した下部副拘束弾性部材と、前記上部主係止端部、前記下部主係止端部、前記上部副係止端部、前記下部副係止端部の裏面に取り付けた面フアスナー雄（鍵）片と、前記上部主拘束弾性部材、前記下部主拘束弾性部材、前記上部副拘束弾性部材、前記下部副拘束弾性部材の表面に取り付けた面フアスナー雌（輪）片と、を備えたことを特徴とする係留部材付き四本拘束膝カバー弾性保護具である。
【発明の効果】
【００１７】
本発明は、膝カバー弾性部材の裏面に先端が凸状の押圧部を立設した係留部材を取付けて、膝カバー弾性部材の表面から、裏面の係留部材を各拘束主弾性部材で締め付ける構成により、着用者の膝蓋部周辺の窪み部に直接、または、着用者のパンツやズボンの上から、凸状の押圧部で押圧できるので、従来の膝用サパーターよりも、膝カバー弾性部材を確実に取り付けることができる。
【００１８】
本発明は、表面に取り付けた多重捲き可能な上部主拘束弾性部材と下部主拘束弾性部材を取付けた膝カバー弾性部材、または、上部主拘束弾性部材、下部主拘束弾性部材、上部副拘束弾性部材、下部副拘束弾性部材を取付けた膝カバー弾性部材のいずれかを使用したことにより、各種の係留部材を活用することが可能となり、かつ、各拘束弾性部材を一方捲きにて、膝カバー弾性部材の裏面に取付けられた係留部材に立設した押圧部で、肌面の窪み部に直下型の圧縮力を加える場合に、着用者の年齢、性別、肥満度合い、症状等の個人差に応じて、捲き締め力を加減して前記圧縮力を強弱調整ができるので、膝の屈折時の膝カバー弾性部材の伸縮効果と相乗して、着用者の肌面の窪み部付近の靭帯や筋肉の柔軟性を容易に向上することができる。
【００１９】
従来の膝用サポーターの構成は、締め付け力の強弱調整が極めて困難なことから、仮に腰帯用の健康促進部材や磁石パットや駒器具を使用したとしても、使用感に支障のないように取付けたとしても、膝の屈折時に生ずる膝カバー弾性部材の大きな引張力で、窪み部に嵌着している健康促進部材や磁石パットや駒器具が引き寄せられて窪み部から外に浮きでたり、または、膝カバー弾性部材全体がずれ動くという問題があったが、本発明の多重捲き可能な上下部主拘束弾性部材や、上下部副拘束弾性部材は、一方捲きのため相互に増す締めが可能なため、使用感を悪くすることなく、膝カバー弾性部材の裏面と着用者の肌面との密着力を大きくでき、また、多重捲きにて膝カバー弾性部材の上から強弱調節された直下型の圧縮力で、各係留部材の押圧部を、着用者の年齢、性別、肥満の度合い、症状等の個人差に応じて、着用者に支障なく肌面の窪み部に押し圧できるので、従来の膝用サポーターよりも窪み部に対する保持性が極めて優れている。
【００２０】
また、本発明は、着用者の膝関節部位に架けた膝カバー弾性部材裏面の上下両端部の係留部材に立設された押圧部を、着用者の膝蓋部の周りの相対する複数の窪み部に直接、または、パンツやズボンを介する間接のいずれかでも、確実に保持することができるので、係留部材と膝カバー弾性部材の相乗効果を奏することができる。
【００２１】
また、着用者が使用中に膝を屈折する度に生ずる膝蓋部の両側の窪み部に架けた膝カバー弾性部材の伸縮により、着用者の膝関節部位に架けた膝カバー弾性部材の両端部の押圧部が、当接した窪み部に対して肌面に平行な圧縮力と、膝カバー弾性部材の裏面に取り付けた複数の押圧部に及ぼす各拘束弾性部材の一方捲きによる圧着作用による肌面に直角な圧縮力が複合された加圧方向を肌面に直下から斜め下方向とする合成圧縮力によって、押圧部が当接された窪み部付近の靭帯や筋肉の柔軟性を向上できるので、本発明を毎日着用することで関節部位の障害の予防を図ることができる。
【図面の簡単な説明】
【００２２】
【図１】第１実施形態の１の係留部材付き二本拘束膝カバー弾性保護具の平面図である。
【図２】図１の側面図である。
【図３】図１の正面図である。
【図４】図１の裏面図である。
【図５】第１実施形態の１の係留部材付き二本拘束膝カバー弾性保護具の使用状態を示す正面図である。
【図６】接縁型複数押圧部付き楕円形係留部材の平面図である。
【図７】図６の側面図である。
【図８】図６の正面図である。
【図９】中央型複数押圧部付き楕円形係留部材の平面図である。
【図１０】図９の正面図である。
【図１１】接縁型単数押圧部付き楕円形係留部材の平面図である。
【図１２】図１１の側面図である。
【図１３】図１１の正面図である。
【図１４】接縁型単数押圧部付き円形係留部材の平面図である。
【図１５】図１４の側面図である。
【図１６】図１４の正面図である。
【図１７】中央型単数押圧部付き円形係留部材の平面図である。
【図１８】図１７の側面図である。
【図１９】図１７の正面図である。
【図２０】中央型単数押圧部付き楕円形係留部材の平面図である。
【図２１】図２０の側面図である。
【図２２】図２０の正面図である。
【図２３】第２実施形態の１の係留部材付き四本拘束膝カバー弾性保護具の平面図である。
【図２４】図２３の側面図である。
【図２５】図２３の正面図である。
【図２６】図２３の裏面図である。
【図２７】第２実施形態の１の使用状態を示す正面図である。
【図２８】第１実施形態の２の係留部材を取り付けた係留部材付き二本拘束膝カバー弾性保護具の裏面図である。
【図２９】第２実施形態の２の係留部材を取り付けた係留部材付き四本拘束膝カバー弾性保護具の裏面図である。
【発明を実施するための形態】
【００２３】
本発明の第１実施形態は、押圧部４を立設した係留部材３を裏面に取付け、着用者の大腿下部６、膝蓋部８、脛上部１０に対面するように形成された膝カバー弾性部材２０と、前記膝カバー弾性部材２０の上部表面に片方の端部を取付けて、他方の端部の上部主係止端部２９を外方向に伸ばして配置した上部主拘束弾性部材２５と、前記上部主拘束弾性部材２５と平行で、反対方向に前記膝カバー弾性部材２０の下部表面に片方の端部を取付けて、他方の端部の下部主係止端部３０を外方向に伸ばして配置した下部主拘束弾性部材２６と、前記上部主係止端部２９、下部主係止端部３０の裏面に取り付けた面フアスナー雄（鍵）片２３と、前記上部主拘束弾性部材２５、下部主拘束弾性部材２６の表面に取り付けた面フアスナー雌（輪）片２４と、を備えたことを特徴とする係留部材付き二本拘束膝カバー弾性保護具１である。
【００２４】
本発明の第１実施形態の１において、図１は、第一実施形態の１の係留部材付き二本拘束膝カバー弾性保護具１の平面図、図２は、図１の側面図、図３は図１の正面図、図４は、図１の裏面図、図５は、第１実施形態の１の使用状態を示す正面図、第２８は、第１実施形態の２の係留部材付き二本拘束膝カバー弾性保護具の裏面図である。
【００２５】
本発明の第１実施形態の１は、着用者の大腿下部６、膝蓋部８、脛上部１０に対面するように形成された膝カバー弾性部材２０と、前記膝カバー弾性部材２０の上部表面に片方の端部を取付けて、他方の端部の上部主係止端部２９を外方向に伸ばして配置した上部主拘束弾性部材２５と、前記上部主拘束弾性部材２５と平行で、反対方向に前記膝カバー弾性部材２０の下部表面に片方の端部を取付けて、他方の端部の下部主係止端部３０を外方向に伸ばして配置した下部主拘束弾性部材２６と、前記上部主拘束弾性部材２５の片方の端部を取り付けた前記膝カバー弾性部材２０の上部表面の直下の裏面に取付けた上部係留部材２１と、前記下部主拘束弾性部材２６の片方の端部を取り付けた前記膝カバー弾性部材２０の下部表面の直下の裏面に取付けた下部係留部材２２と、前記上部主係止端部２９、下部主係止端部３０の裏面に取り付けた面フアスナー雄（鍵）片２３と、前記上部主拘束弾性部材２５、下部主拘束弾性部材２６の表面に取り付けた面フアスナー雌（輪）片２４と、を備えたことを特徴とする係留部材付き二本拘束膝カバー弾性保護具１である。
【００２６】
膝カバー弾性部材２０は、図１〜図５に示すように、上方に大腿部５を配し、下方に足部１１の上の脛部９を配した大腿下部６と膝蓋部８と脛上部１０の前側肌面に取り付けて使用するもので、上部裏面に取り付けられた上部係留部材２１（例えば、図示では接縁型複数押圧部付き楕円形係留部材１２）と、下部裏面に取り付けられた下部係留部材２２（例えば、図示では接縁型複数押圧部付き楕円形係留部材１２）に、それぞれ立設した各押圧部４を、膝蓋部８上部の大腿下部６の肌面の複数の窪み部と、膝蓋部８の下部の脛上部１０の肌面の複数の窪み部に当接して、前記上部係留部材２１と前記下部係留部材２２を膝カバー弾性部材２０の裏面に取り付ける。なお膝カバー弾性部材２０の材質としては、樹脂発泡体、汎用ゴム材料、汎用樹脂、汎用エンプラ、形状記憶樹脂、形状記憶繊維、超弾性合金、形状記憶合金、形状記憶複合材料等を使用する。
【００２７】
上部拘束弾性部材２５は、膝カバー弾性部材２０の裏面に上部係留部材２１を取付けた直上の、膝カバー弾性部材２０の上部表面に一方の端部を取付けて、他方の端部の上部主係止端部２９を外方向に伸ばして配置し、前記上部主係止端部２９の裏面に面フアスナー雄（鍵）片２３を取り付け、前記面フアスナー雄（鍵）片２３と係止する面フアスナー雌（輪）片２４を前記上部主拘束弾性部材２５の表面に取付けてある。
【００２８】
また、下部主拘束弾性部材２６は、膝カバー弾性部材２０の裏面に下部係留部材２２を取付けた直上の膝カバー弾性部材２０の下部表面に、前記上部主拘束弾性部材２５の一方の端部を取付けた方向とは逆方向に、一方の端部を取付けて、他方の端部の下部主係止端部３０を外方向に伸ばして配置し、前記下部主係止端部３０の裏面に面フアスナー雄（鍵）片２３を取り付け、前記下部主拘束弾性部材２６の表面には前記面フアスナー雄（鍵）片２３と係止する面フアスナー雌（輪）片２４が取付けてある。
【００２９】
なお、図５から明らかのように、上部係留部材２１や下部係留部材２２の各押圧部４の形状は、着用者の年齢、性別、身体の大小等の個人差があるので、例えば、押圧部４の高さを大腿部下部６や大腿部５用のものは低くし、膝蓋部８の下方の脛上部１０用ものは形状を高く製作するとよい。
【００３０】
本発明の使用に際しては、図５に示すように、着用者の大腿下部６と膝蓋部８と脛上部１０に対面した膝カバー弾性部材２０の裏面下端部に取付けた下部係留部材２２に立設した押圧部４を、膝蓋部８の下側の脛上部１０の肌面の窪み部に当接して、膝カバー弾性部材２０の下部表面に、片方の端部を取付けた下部主拘束弾性部材２6を、脛部上部１０に左捲きに２回捲きつけて、前記膝カバー弾性部材２０を経て着用者の個人差に応じた圧力で脛上部１０の肌面の窪み部に圧縮力を負荷し、前記下部主拘束弾性部材２6の下部主係止端部３０の裏面に取付けた面フアスナー雄（鍵）片２３を、下部主拘束弾性部材２６の表面に取付けた面フアスナー雌（輪）片２４に係止して固定する。
【００３１】
次に、前記膝カバー弾性部材２０の上端部を大腿部5の方に引き上げて、上部主拘束弾性部材２５で大腿下部１０に右捲きに２回捲きつけて、前記膝カバー弾性部材２０の裏側に取付けた上部係留部材２１に立設した押圧部４にて、着用者の膝蓋部8の上方の大腿下部６の表面の窪み部に、着用者の個人差に応じて強弱調整された圧力を加えて、上部主係止端部２９の裏面に取付けた面フアスナー雄（鍵）片２３を、上部主拘束弾性部材２５の表面に取付けた面フアスナー雌（輪）片２４に係止して、着用中に膝カバー弾性部材２０の肌面への取り付けと前記押圧部４の窪み部との嵌合が緩まないようにする。なお各主拘束弾性部材の材質は、汎用エンプラ、汎用ゴム材料、汎用樹脂、形状記憶樹脂、形状記憶繊維等が使用される。
【００３２】
本発明の第１実施形態の１は、従来の膝用サポーターでは極めて困難であったズボンやパンツの上からの着用を、押圧部付き膝カバー弾性部材を使用したことにより容易に解決することができる。
【００３３】
また、表面に立設した押圧部４の底面の面積よりも大きな底面積を形成した係留部材３を、膝カバー弾性部材２０の裏面の上下部に複数取り付けて、その上から一方捲着方式とした主拘束弾性部材２５，２６の一方の端部を、膝カバー弾性部材２０の裏面に取り付けた係留部材３の上から捲き締め力が負荷できるようにして、主拘束弾性部材２５，２６の取付位置を膝カバー弾性部材の表面に横方向にして取り付ける。このことにより、押さえ台のように、一方捲着する主拘束弾性部材２５，２６が横置きされた一方の端部を押さえながら捲着されることから、押圧部４を捲付ける力を十分に集中でき圧縮力の強弱調整が容易にできる。
【００３４】
本発明は、図１〜図５に示すように、膝カバー弾性部材２０の上部裏面の上部係留部材２１と、膝カバー弾性部材２０の下部裏面の下部係留部材２２に、接縁型複数押圧部付き楕円形係留部材１２が双方に取り付けて使用されているが、本発明は、接縁型複数押圧部付き楕円形係留部材１２だけでなく、接縁型複数押圧部付き楕円形係留部材１２を含めて、図９〜図２２に示すような中央型複数押圧部付き楕円形係留部材１３、接縁型単数押圧部付き楕円形係留部材１４、接縁型単数押圧部付き円形係留部材１５、中央型単数押圧部付き円形係留部材１６、中央型単数押圧部付き楕円形係留部材17の内の同種、または、異種の複数の組合せからなる形係留部材のいずれかを、第一実施形態のみならず第二実施形態の膝カバー弾性部材２０の裏面に使用してもよい。なお、係留部材３の材質は、押圧部４の硬度を指先の硬さ程度にした汎用ゴム材料、汎用エンプラ、汎用樹脂等が使用される。
【００３５】
また、単数の押圧部４を立設した接縁型単数押圧部付き楕円形係留部材１４、接縁型単数押圧部付き円形係留部材１５、中央型単数押圧部付き円形係留部材１６、中央型単数押圧部付き楕円形係留部材17は、通常は、単独で使用され、例えば、膝蓋部表面に対面する膝カバー弾性部材２０の裏面に取り付けて、両端部を大腿下部６や脛上部に固定された膝カバー弾性部材２０が、着用者の行動で膝が屈折される毎に生ずる膝カバー弾性部材２０の引張力で、膝蓋部の表面に当接する係留部材３に立設した押圧部の分力の圧縮力で、膝蓋部の上面を繰返し押し圧して膝関節部位の障害を予防する効果を奏するが、取付ける位置を更に膝蓋部８の両側の窪み部にも取付けて使用すると、本発明の奏する係留部材３と膝カバー弾性部材２０との相乗効果にて膝関節部周辺の障害を一層予防することができる。
【００３６】
次は、本発明の第１実施形態のみならず第２実施形態にも使用される係留部材３として、図６は、接縁型複数押圧部付き楕円形係留部材１２の平面図、図７は、図６の側面図、図８は、図６の正面図である。
【００３７】
接縁型複数押圧部付き楕円形係留部材１２は、着用者の膝蓋部８付近の靭帯や筋肉を柔らかにするために、膝蓋部８の上下縁部に接近して足軸に直角な方向に並んだ二箇所の窪み部に、上部主拘束弾性部材２５と下部主拘束弾性部材２６の弾力を、膝カバー弾性部材２０を介して押圧部４に、膝カバー弾性部材２０の表面を介して集中するが、裾野を広くした２個の押圧部４の周縁部を図６〜図７に示すように、膝蓋部８の周縁部や脛部９などの骨部分に接触しないように、楕円形係留部材１８の周縁部に接円して大きな底面積の楕円形係留部材１８に一体に形成して、前記膝カバー弾性部材２０と、上部主拘束弾性部材２５と、下部主拘束弾性部材２６の捲着による圧縮力を窪み部に集中できるように形成してある。
【００３８】
接縁型複数押圧部付き楕円形係留部材１２は、図６に示すように、２個の押圧部４を側縁部に接して形成した楕円形状係留部材１８の周縁部に、膝カバー弾性部材２０の裏面に縫着できるようにした係留部材取付孔３３を設けて、周縁部には着用者の肌面や、ズボンやパンツの上から装着する際に負傷や、引っ掛からないように丸みを形成し、押圧部４の形状は、図７〜図８では円錐形に作図されてあるが、これに限定されるものではなく球形や楕円形などでもよい。なお、楕円形状係留部材１８の前記膝カバー弾性部材２０の裏面への取り付けは粘着剤による貼着でも差し支えない。
【００３９】
接縁型複数押圧部付き楕円形係留部材１２は、図２８や、図２９に示すように使用されるが、図２８の上部係留部材２１に使用される場合には、楕円形係留部材１８に押圧部４を３個立設して使用することがある。
【００４０】
図９は、中央型複数押圧部付き楕円形係留部材１３の平面図、図１０は、図９の正面図である。
【００４１】
中央型複数押圧部付き楕円形係留部材１３は、押圧部４の底部面積よりも広く形成した楕円形係留部材１８の中央部に押圧部４を立設し、押圧部４が加圧する窪み部として、着用者の膝蓋部２４の周りで足軸に直角な方向に並んだ窪み部を選定し、その窪み部に上部拘束弾性部材３８と下部拘束弾性部材３９の弾力で押圧を加える。
【００４２】
この中央型複数押圧部付き楕円形係留部材１３は、図９〜図１０に示すように着用者の骨部の周縁部に対面して２個の押圧部４で囲むように片側に凹部を形成し、主として大腿下部５の窪み部の加圧や、膝蓋部８よりも離れた脛部９の窪み部の加圧に使用され、楕円形係留部材１８の周縁部に係留部材取付孔３３を設けて伸縮可能な膝カバー弾性部材２０の裏面に縫着するためのもので、また周縁部には着用者の肌面や、ズボンやパンツの上から装着する際に負傷や、引っ掛からないように丸みを形成し、なお、中央型複数押圧部付き楕円形係留部材１３を前記膝カバー弾性部材２０の裏面に取り付ける方法としては、粘着剤による貼着でも差し支えない。
【００４３】
図１１は、接縁型単数押圧部付き楕円形係留部材１４の平面図、図１２は、図１１の側面図、図１３は、図１１の正面図である。
【００４４】
接縁型単数押圧部付き楕円形係留部材１４は、円形の単数押圧部４に楕円形係留部材１８の片側を接円して一体化した係留部材３で、図１１〜図１３に示すように、単数の円錐状の押圧部４を楕円形係留部材１８の縦端部に接して立設して、狭い位置でも容易に取り付けられるようにし、通常、大腿下部６や膝蓋部８の両側の窪み部で間隔が大きい位置に使用されるもので、着用者の年齢、性別、身体の大小等と個人差が大きい場合に取付けて使用するのに便利である。
【００４５】
接縁型単数押圧部付き楕円形係留部材１４は、図２９に示すように狭い位置に取り付けて肌面の窪み部に押圧部４を当接するに便利な係留部材３で、楕円形係留部材１８の周縁部に係留部材取付孔３３を設けてあるが、これは伸縮可能な膝カバー弾性部材２０の裏面に縫着して、係留部材３の底面積に掛かる圧縮力を押圧部４に集中するためのもので、また、周縁部には着用者の肌面や、ズボンやパンツの上から装着する際に負傷や、引っ掛からないように丸みを形成し、なお、接縁型単数押圧部付き楕円形係留部材１４を前記膝カバー弾性部材２０の裏面への取り付ける方法としては粘着剤による貼着でも差し支えない。
【００４６】
図１４は、接縁型単数押圧部付き円形係留部材１５の平面図、図１５は、図１４の側面図、図１６は、図１４の正面図である。
【００４７】
接縁型単数押圧部付き円形係留部材１５は、図１４〜図１６に示すように、円錐状の単数の押圧部４の底面積よりも大きな底面積の円形係留部材１９の片縁部に接触して立設したもので、伸縮可能な膝カバー弾性部材２０の裏面に縫着するために周縁部に係留部材取付孔３３を設け、周縁部には着用者の肌面や、ズボンやパンツの上から装着する際に負傷や、引っ掛からないように丸みを形成し、なお、接縁型単数押圧部付き円形係留部材１５の前記膝カバー弾性部材５２の裏面への取り付けは、粘着剤による貼着でもよい。
【００４８】
接縁型単数押圧部付き円形係留部材１５は、図２８、図２９に示すように、主として膝蓋部８の表面や周縁部、脛部９の骨部の周りの狭い位置の窪み部や、着用者の膝蓋部８周辺の複数の窪み部に当接して使用する場合に、着用者の個人差に応じて複数の押圧部４の間隔を自由に調節して取り付けられるので極めて便利である。
【００４９】
図１７は、中央型単数押圧部付き円形係留部材１６の平面図、図１８は、図１７の側面図、図１９は、図１７の正面図である。
【００５０】
中央型単数押圧部付き円形係留部材１６は、中央部に円錐形の単数の押圧部４を形成し、押圧部４の底面積よりも遥かに大きな取付面積の円形係留部材１９に押圧部４を立設して、主として、大腿下部６や大腿部５のような肉厚が大きく広い位置や、図２８、図２９に示すように膝蓋部８の中央部や、複数の窪み部の間隔が広い肌面に使用される。この中央型単数押圧部付き円形係留部材１６は、図１７〜図１９に示すように円形係留部材１９の周縁部に係留部材取付孔３３を設けてあるが、これも伸縮可能な膝カバー弾性部材２０の裏面に縫着するためのもので、周縁部には着用者の肌面や、ズボンやパンツの上から装着する際に負傷や、引っ掛からないように丸みを形成し、なお、中央型単数押圧部付き円形係留部材１６の前記膝カバー弾性部材２０の裏面への取り付けは、粘着剤による貼着でもよい。
【００５１】
図２０は、中央型単数押圧部付き楕円形係留部材１７の平面図、図２１は、図２０の側面図、図２２は、図２０の正面図である。
【００５２】
中央型単数押圧部付き楕円形係留部材１７は、図２０〜面２２に示すように、中央部に円錐状の単数の押圧部４を立設した楕円形係留部材１８で、周縁部に係留部材取付孔３３を設けてあるが、これも伸縮可能な膝カバー弾性部材２０の裏面に縫着するためのものである。なお、周縁部には着用者の肌面や、ズボンやパンツの上から装着する際に負傷や、引っ掛からないように丸みを形成してある。
【００５３】
中央型単数押圧部付き楕円形係留部材１７は、膝蓋部８の中央部や脛部９のように設置幅が狭い位置や、図２９に示すように幅が狭い拘束弾性部材に取り付け易いので便利である。なお、中央型単数押圧部付き楕円形係留部材１７を、前記膝カバー弾性部材２０の裏面への取り付けは粘着剤による貼着でもよい。
【００５４】
第１実施形態の２として、図２８は、第１実施形態の２の係留部材を取り付けた係留部材付き二本拘束膝カバー弾性保護具の裏面図である。
【００５５】
本発明の第１実施形態の２は、図２８に示すように、着用者の大腿下部６、膝蓋部８、脛上部１０に対面するように形成された膝カバー弾性部材２０と、前記膝カバー弾性部材２０の上部表面に片方の端部を取付けて、他方の端部の上部主係止端部２９を外方向に伸ばして配置した上部主拘束弾性部材２５と、前記上部主拘束弾性部材２５と平行で、反対方向に前記膝カバー弾性部材２０の下部表面に片方の端部を取付けて、他方の端部の下部主係止端部３０を外方向に伸ばして配置した下部主拘束弾性部材２６と、前記上部主拘束弾性部材２５の片方の端部を取り付けた前記膝カバー弾性部材２０の上部表面の直下の裏面に取付けた３個の押圧部４を立設した接縁型複数押圧部付き楕円形係留部材１２と、前記下部主拘束弾性部材２６の片方の端部を取り付けた前記膝カバー弾性部材２０の下部表面の直下の裏面に取付けた２個の押圧部４を立設した接縁型複数押圧部付き楕円形係留部材１２と、前記膝カバー弾性部材２０の両側縁部上方の肌面の窪み部に当接する押圧部４を立設した接縁型単数押圧部付き円形係留部材１５と、前記膝カバー弾性部材２０の表面の窪み部に当接する中央型単数押圧部付き円形係留部材と、下部係留部材２２と、前記上部主係止端部２９、下部主係止端部３０の裏面に取り付けた面フアスナー雄（鍵）片２３と、前記上部主拘束弾性部材２５、下部主拘束弾性部材２６の表面に取り付けた面フアスナー雌（輪）片２４と、を備えたことを特徴とする係留部材付き二本拘束膝カバー弾性保護具１である。
【００５６】
本発明の第１実施形態の２は、着用者の大腿下部６、膝蓋部８、脛上部１０に対面して取付けた膝カバー弾性部材２０の裏面に取付けた係留部材３に立設した押圧部４を、膝蓋部８周縁部の上方の大腿下部６、膝蓋部８周縁部、脛部９の肌面の窪み部にそれぞれ当接して、着用者の年齢、性別、肥満の程度、病状の程度、好みなどによる個人差を配慮して締め付けて加えた直下型の圧縮力と、大腿下部６と脛部９の肌面の窪み部に嵌着された両押圧部４によって、両窪み部に架かる膝カバー弾性部材の弾力の生ずる膝の屈折作用時の引張力の強弱で、反作用として両側の押圧部４の当接する窪み部にかかる横方向の圧縮力の往復作用によって、着用者の膝蓋部８周辺の靭帯や筋肉の柔軟性を向上して、膝関節部位の障害を予防することができるが、これとは別に、膝蓋部８の両縁部上方の肌面の窪み部と膝蓋部８の表面の窪み部が、膝の屈折時の膝カバー弾性部材２０の伸縮で繰り返し直下型の圧縮力を、膝蓋部８や、膝蓋部周縁部に与えるので、更に、膝蓋部周辺の靭帯や筋肉の柔軟性が向上される。
【００５７】
なお、図２８に示すように、係留部材３の各押圧部４の形状は、着用者の年齢、性別、身体の大小等の個人差があるので、例えば、押圧部４の高さを大腿部下部６や大腿部５用や膝蓋部表面用のものは低くし、膝蓋部８の下方の脛上部１０用ものは形状を高く製作し、或いは押圧部４の接触する肌面の硬さに応じて押圧部４の硬度を硬軟調整し、例えば膝蓋部表面用のものは若干柔らかに製作するとよい。
【００５８】
以上、本発明の第１実施形態は、第１実施形態の１と第１実施形態の２共に優れた効果を奏するが、その他に、膝カバー弾性部材２０に取付ける多種類の係留部材３と膝カバー弾性部材２０と上部主拘束弾性部材２５と下部主拘束弾性部材２６を主要部材とすることから、着用者の個人差に応じられるように、予め、共通部品として製作した係留部材３の押圧部４を、各種ピッチに配置した膝カバー弾性部材２０や、形状記憶機能や細孔数設定にて引張強度の調整された膝カバー弾性部材２０を別個に各種製作して在庫し、ユーザーの要望や体質に応じて最適な膝カバー弾性部材２０に、各種の主拘束弾性部材を取付けて出荷できるので、製作費の低減と優れた品質保証体制を確立することができる。
【００５９】
本発明の第２実施形態は、押圧部を立設した係留部材を裏面に取り付け、着用者の大腿部、大腿下部、膝蓋部、脛上部、脛部に対面するように形成された膝カバー弾性部材と、大腿下部に対面する前記膝カバー弾性部材の上部表面に片方の端部を取付けて、他方の端部の上部主係止端部を外方向に伸ばして配置した上部主拘束弾性部材と、脛上部に対面する前記膝カバー弾性部材の下部表面に、前記上部主拘束弾性部材と平行で反対方向に、片方の端部を取付けて、他方の端部の下部主係止端部を外方向に伸ばして配置した下部主拘束弾性部材と、裏面が大腿部に接触する前記膝カバー弾性部材の上端部表面に、前記上部主拘束弾性部材と並行で、反対方向に片方の端部を取付けて、他方の端部の上部副係止端部を外方向に伸ばして配置した上部副拘束弾性部材と、裏面が脛部に接触する前記膝カバー弾性部材の下端部表面に、前記下部主拘束弾性部材と並行で、反対方向に片方の端部を取付けて、他方の端部の下部副係止端部を外方向に伸ばして配置した下部副拘束弾性部材と、前記上部主係止端部、前記下部主係止端部、前記上部副係止端部、前記下部副係止端部の裏面に取り付けた面フアスナー雄（鍵）片と、前記上部主拘束弾性部材、前記下部主拘束弾性部材、前記上部副拘束弾性部材、前記下部副拘束弾性部材の表面に取り付けた面フアスナー雌（輪）片と、を備えたことを特徴とする係留部材付き四本拘束膝カバー弾性保護具である。
【００６０】
本発明の第２実施形態は、効果を必要とする窪み部の範囲を基にして、第２実施形態の１と第２実施形態の２が使用される。先ず、第２実施形態の１は、着用者の大腿部５、大腿下部６、膝蓋部８、脛上部１０、脛部９に対面して取付けた膝カバー弾性部材２０の裏面から、着用者の年齢、性別、肥満の程度、病状の程度、好みなどにより、個人差を配慮した肌面の窪み部に圧縮力を加えるために、膝蓋部８の上縁部と下縁部の肌面の窪み部を中心に、負荷する直下型の圧縮力と両縁部に架かる膝カバー弾性部材の弾力の有する膝の屈折作用時の引き寄せ力の強弱による横方向の圧縮力の往復作用によって、着用者の膝蓋部周辺の靭帯や筋肉の柔軟性を向上して、膝関節部位の障害を予防することを目的とし、また、第２実施形態の２は、膝蓋部周辺の靭帯や筋肉の柔軟性を向上する効果の範囲を広げて、大腿部５から膝蓋部８周辺を経て脛部９に至る肌面に存在する窪み部を支持基点として、係留部材の押圧部にて圧縮力を加えることにより、着用者の膝蓋部周辺の靭帯や筋肉の柔軟性を向上して、大腿部５から膝関節部位を含めた脛部９の範囲の障害を広く予防することを目的としている。
【００６１】
次に、本発明の第２実施形態の１において、図２３は、第２実施形態の１を示す係留部材付き四本拘束膝カバー弾性保護具２の平面図、図２４は、図２３の側面図、図２５は、図２３の正面図、図２６は、図２３の裏面図、図２７は、第２実施形態の１の係留部材付き四本拘束膝カバー弾性保護具２を着用者の膝蓋部８に捲着した取付状態を示す正面図、図２９は、第２実施形態の２の係留部材付き四本拘束膝カバー弾性保護具の裏面図である。
【００６２】
本発明の第２実施形態の１は、着用者の大腿部５、大腿下部６、膝蓋部８、脛上部１０、脛部９に対面するように形成された膝カバー弾性部材２０と、大腿下部６に対面する前記膝カバー弾性部材２０の上部表面に片方の端部を取付けて、他方の端部の上部主係止端部２９を外方向に伸ばして配置した上部主拘束弾性部材２５と、脛上部１０に対面する前記膝カバー弾性部材２０の下部表面に、前記上部主拘束弾性部材２５と平行で、反対方向に片方の端部を取付けて、他方の端部の下部主係止端部３０を外方向に伸ばして配置した下部主拘束弾性部材２６と、前記上部主拘束弾性部材２５の片方の端部を取り付けた前記膝カバー弾性部材２０の上部表面の直下の裏面に取付け、前記大腿下部６に対面して肌面の窪み部に当接する押圧部４を立設した上部係留部材２１と、前記下部主拘束弾性部材２６の片方の端部を取り付けた前記膝カバー弾性部材２０の下部表面の直下の裏面に取付け、前記脛上部１０に対面して肌面の窪み部に当接する押圧部４を立設した下部係留部材２２と、裏面が大腿部５に接触する前記膝カバー弾性部材２０の上端部表面に、前記上部主拘束弾性部材２５と平行で、反対方向に片方の端部を取付けて、他方の端部の上部副係止端部３１を外方向に伸ばして配置した上部副拘束弾性部材２７と、裏面が脛部９に接触する前記膝カバー弾性部材２０の下端部表面に、前記下部主拘束弾性部材２６と並行で、反対方向に片方の端部を取付けて、他方の端部の下部副係止端部３２を外方向に伸ばして配置した下部副拘束弾性部材２８と、前記上部主係止端部２９、前記下部主係止端部３０、前記上部副係止端部３１、前記下部副係止端部３２の裏面に取り付けた面フアスナー雄（鍵）片２３と、前記上部主拘束弾性部材２５、前記下部主拘束弾性部材２６、前記上部副拘束弾性部材２７、前記下部副拘束弾性部材２８の表面に取り付けた面フアスナー雌（輪）片２４と、を備えたことを特徴とする係留部材付き四本拘束膝カバー弾性保護具２である。
【００６３】
膝カバー弾性部材２０は、上方に大腿部５を配し、下方に足部１１の上の脛部９を配して、大腿部５、大腿下部６、膝蓋部８、脛上部１０、脛部９に対面して取り付けて使用するもので、図２３、図２６、図２７において、仮想線で示す膝蓋部８の上縁肌面である大腿下部６の複数の窪み部と当接する押圧部４を立設する上部係留部材２１（例えば、図示では中央型複数押圧部付き楕円形係留部材１３）と、膝蓋部８の下縁肌面である脛上部１０の複数の窪み部と当接する押圧部４を立設する下部係留部材２２（例えば、図示では接縁型複数押圧部付き楕円形係留部材１２）を膝カバー弾性部材２０の裏面に取り付ける。なお膝カバー弾性部材２０の材質としては、樹脂発泡体、汎用ゴム材料、汎用樹脂、汎用エンプラ、形状記憶樹脂、形状記憶繊維、超弾性合金、形状記憶合金、形状記憶複合材料等を使用する。
【００６４】
なお、図５から明らかのように、上部係留部材２１と下部係留部材２２の各押圧部４の形状は、着用者の年齢、性別、身体の大小等の個人差があるので、例えば、押圧部４の高さを大腿部下部６や大腿部５用のものは低くし、膝蓋部８の下方の脛上部１０用のものは形状を高く製作するとよい。
【００６５】
なお、本発明の第２実施形態に使用する係留部材３としては、第２実施形態の１の図２３〜図２７に示すように、上部係留部材２１に中央型複数押圧部付き楕円形係留部材１３、また下部係留部材２２に接縁型複数押圧部付き楕円形係留部材１２がそれぞれ使用されてあるが、これに限定されるものではなく、前記接縁型複数押圧部付き楕円形係留部材１２、中央型複数押圧部付き楕円形係留部材１３を含めて、図１１〜図２２に示すような接縁型単数押圧部付き楕円形係留部材１４、接縁型単数押圧部付き円形係留部材１５、中央型単数押圧部付き円形係留部材１６、中央型単数押圧部付き楕円形係留部材17の内の同種、または、異種の複数の組合せからな係留部材３のいずれかでも使用できるものである。なお係留部材３の材質は、押圧部４の硬度を、指先の硬さ程度にした汎用ゴム材料、汎用エンプラ、汎用樹脂等が使用される。
【００６６】
裏面に取り付けた上部係留部材２１の押圧部を、前記膝蓋部８の周りの肌面の窪み部に圧着する拘束部材として、上部主拘束弾性部材２５は、裏面に上部係留部材２１を取付けた膝カバー弾性部材２０の上部表面に一方の端部を横置きに取付けて、他方の端部の上部主係止端部２９を外方向に伸ばして配置し、一方捲き方式で、前記一方の端部の上から大腿下部６に数回捲き付けることにより、に対する押圧力を強弱調整して、最後に固定するために、前記上部主係止端部２９の裏面に面フアスナー雄（鍵）片２３を取り付け、前記面フアスナー雄（鍵）片２３と係止する面フアスナー雌（輪）片２４を前記上部主拘束弾性部材２５の表面に取付けてある。
【００６７】
また、下部主拘束弾性部材２６は、前記膝カバー弾性部材２０の裏面に取り付けた下部係留部材２２に立設した押圧部４を一方締めにて、脛上部１０の肌面の窪み部に加圧する部材で、前記膝カバー弾性部材２０の上方表面に取り付けた前記上部主拘束弾性部材２５の取付け方向とは逆方向に、一方の端部を前記膝カバー弾性部材２０の下部表面に取り付け、下部主拘束弾性部材２６の下部主係止端部３０を外方向に伸ばして配置し、着用者の年齢、性別、肥満の程度、病状の程度、好みなどにより、脛上部１０の肌面の窪み部に対する押圧力を強弱調整して一方向捲きで脛上部１０に数回捲き付けて後に固定するが、そのために、前記下部主係止端部３０の裏面に面フアスナー雄（鍵）片２３を取り付け、前記下部主拘束弾性部材２６の表面には前記面フアスナー雄（鍵）片２３と係止する面フアスナー雌（輪）片２４が取付けてある。
【００６８】
次に、上部副拘束弾性部材２７は、前記膝カバー弾性部材２０の上部端部の表面に、図２３、図２７に示すように、前記上部主拘束弾性部材２５に並行で反対方向に一方の端部を取付け、他方の上部副係止端部３１を外方向に伸ばした一方捲着方式にして、着用者が膝を屈折する際の前記膝カバー弾性部材２０の引張力で、押圧部４による横方向の圧縮力を窪み部に繰返し負荷することによる大きな作用効果を確実にするために、前記上部副係止端部３１の裏面には、前記上部副拘束弾性部材２６の表面に取付けた面フアスナー雌（輪）片２４と係止する面フアスナー雄（鍵）片２３を取り付け、前記膝カバー弾性部材２０の上部端部を大腿部５に確実に固定できるようにする。
【００６９】
また、下部副拘束弾性部材２８には、前記膝カバー弾性部材２０の下部端部の表面に、図２３、図２７に示すように、前記下部主拘束弾性部材２６に平行で反対方向に一方の端部を取付け、他方の端部の下部副係止端部３２を外方向に伸ばして配置し、前記下部副拘束弾性部材２８にて、前記膝カバー弾性部材２０の下部端部を脛部９に確実に保持するために、前記下部副係止端部３２の裏面には、前記下部副拘束弾性部材２８の表面に取付けた面フアスナー雌（輪）片２４と係止する面フアスナー雄（鍵）片２３が取り付けてある。
【００７０】
本発明の第２実施形態の１の使用に際しては、図２７に示すように、先ず、前記膝カバー弾性部材２０の下端部に取付けた前記下部副拘束弾性部材２８を脛部９に右捲きに２回捲きつけて、下部副係止端部３２の裏面に取付けた面フアスナー雄（鍵）片２３を、下部副拘束弾性部材２８の表面に取付けた面フアスナー雌（輪）片２４に係止して仮締めし、次に、下部主拘束弾性部材２６を着用者の個人差に応じた圧力調節が容易な一方捲きで脛上部１０に左捲きに２回捲きつけて、下部係留部材２２に立設した押圧部４を膝蓋部８の下側の脛上部１０肌面の窪み部に圧縮力を加えて保持するが、その際、前記膝カバー弾性部材２０を経て脛上部１０に下部主係止端部３１の裏面に取付けた面フアスナー雄（鍵）片２３を、下部主拘束弾性部材２７の表面に取付けた面フアスナー雌（輪）片２４に係止して確実に固定できるようにし、前記下部副拘束弾性部材２８を最後に増す締めして前記膝カバー弾性部材２０の下端部に取付ける。
【００７１】
次に、前記膝カバー弾性部材２０の上端部を大腿部5の方に引き上げて、上部副拘束弾性部材２６で大腿部５に左捲きに２回捲きつけて上部副係止端部３１の裏面に取付けた面フアスナー雄（鍵）片２３を、上部副拘束弾性部材２７の表面に取付けた面フアスナー雌（輪）片２４に係止して仮締めした後に、上部主拘束弾性部材２５で、大腿下部６に右捲きに２回捲きつけて、前記膝カバー弾性部材２０の裏側の取付けた上部係留部材２１に立設した押圧部４で、当接する着用者の膝蓋部8の上方の大腿下部６の窪み部に、着用者の個人差に応じて強弱調整された圧力を加えて、上部主係止端部２９の裏面に取付けた面フアスナー雄（鍵）片２３を、上部主拘束弾性部材２５の表面に取付けた面フアスナー雌（輪）片２４に係止して確実に固定してから、前記上部副拘束弾性部材２７を増す締めして、着用中に膝カバー弾性部材２０の肌面への取り付けと、前記押圧部４の窪み部との嵌合が緩まないようにする。なお各拘束弾性部材の材質は、汎用エンプラ、汎用ゴム材料、汎用樹脂、形状記憶樹脂、形状記憶繊維等が使用される。
【００７２】
本発明の第２実施形態の１は、従来の伸縮可能な膝用サポーターでは極めて困難であったズボンやパンツの上からの着用を容易にする押圧部付き膝カバー弾性部材２０を使用したことにより、何時でも何処でも、ズボンやパンツの上から自由に装着できて、係止端部の碇作用で確実に保持されることから、着用者の膝関節部位の障害を緩和することができる。
【００７３】
また、表面に立設した押圧部の底面の面積よりも大きな底面積を形成した係留部材３を、膝カバー弾性部材２０の裏面に複数取り付けて、限られた弾性部材の引張力を押圧部４に集中して活用し、上部主拘束弾性部材２５や下部主拘束弾性部材２６の一方捲きの押圧調整方式による直下型の圧縮力を、着用者の肌面の窪み部に圧着することができる。
【００７４】
また、前記直下型の圧縮力による効果の他に、膝カバー弾性部材２０の上端部を多重捲き可能な上部副拘束弾性部材２７で、また、膝カバー弾性部材２０の下端部を多重捲き可能な下部部副拘束弾性部材２８で、それぞれ確実に肌面に固定できるので、着用者の動作時における膝の屈折作用で生ずる引張力によって、反力として、膝蓋部８の周りの肌面に平行な横方向の圧縮力が着用者の窪み部に作用するが、本発明の係留部材付き四本拘束膝カバー弾性保護具２では、上部主拘束弾性部材２５と下部主拘束弾性部材２６の肌面への締付力を、膝カバー弾性部材２０の上下両端部を基点とする上部副拘束弾性部材２７や下部副拘束弾性部材２８の肌面への締付力よりも若干弱く調節して使用すれば、前記窪み部内にて往復移動する押圧部４の圧縮力で前記窪み部周辺の靭帯や筋肉を更に柔軟にできる。
【００７５】
図２９は、第２実施形態の２の係留部材を取り付けた係留部材付き四本拘束膝カバー弾性保護具の裏面図である。
【００７６】
本発明の第２実施形態の２は、図２９に示すように、着用者の大腿部５、大腿下部６、膝蓋部８、脛上部１０、脛部９に対面するように形成された膝カバー弾性部材２０と、大腿下部６に対面する前記膝カバー弾性部材２０の上部表面に片方の端部を取付けて、他方の端部の上部主係止端部２９を外方向に伸ばして配置した上部主拘束弾性部材２５と、脛上部１０に対面する前記膝カバー弾性部材２０の下部表面に、前記上部主拘束弾性部材２５と平行で、反対方向に片方の端部を取付けて、他方の端部の下部主係止端部３０を外方向に伸ばして配置した下部主拘束弾性部材２６と、前記上部主拘束弾性部材２５の片方の端部を取り付けた前記膝カバー弾性部材２０の上部表面の直下の裏面に取付け、前記大腿下部６に対面して肌面の窪み部に当接する押圧部４を立設した上部係留部材２１（図では中央型複数押圧部付き楕円係留部材１３）と、前記下部主拘束弾性部材２６の片方の端部を取り付けた前記膝カバー弾性部材２０の下部表面の直下の裏面に取付け、前記脛上部１０に対面して肌面の窪み部に当接する押圧部４を立設した下部係留部材２２（図では接縁型複数押圧部付き楕円係留部材１２）と、裏面が大腿部５に接触する前記膝カバー弾性部材２０の上端部表面に、前記上部主拘束弾性部材２５と平行で、反対方向に片方の端部を取付けて、他方の端部の上部副係止端部３１を外方向に伸ばして配置した上部副拘束弾性部材２７と、裏面が脛部９に接触する前記膝カバー弾性部材２０の下端部表面に、前記下部主拘束弾性部材２６と並行で、反対方向に片方の端部を取付けて、他方の端部の下部副係止端部３２を外方向に伸ばして配置した下部副拘束弾性部材２８と、前記上部副拘束弾性部材２７の片方の端部を取り付けた前記膝カバー弾性部材２０の上端部表面の直下の裏面に取付け、前記大腿部５に対面して肌面の窪み部に当接する押圧部４を立設した係留部材３（図では中央型単数押圧部付き楕円係留部材１７）と、前記下部副拘束弾性部材２８の片方の端部を取り付けた前記膝カバー弾性部材２０の下端部表面の直下の裏面に取付け、前記脛部９に対面して肌面の窪み部に当接する押圧部４を立設した係留部材３（図では接縁型単数押圧部付き円係留部材１５）と、前記膝カバー弾性部材２０の前記膝蓋部の両側縁部の肌面の窪み部に当接する押圧部４を立設した係留部材３（図では接縁型単数押圧部付き楕円係留部材１４）と、前記膝カバー弾性部材２０の前記膝蓋部８の表面の窪み部に当接する押圧部４を立設した係留部材３（図では中央型単数押圧部付き円係留部材１６）と、前記上部主係止端部２９、前記下部主係止端部３０、前記上部副係止端部３１、前記下部副係止端部３２の裏面に取り付けた面フアスナー雄（鍵）片２３と、前記上部主拘束弾性部材２５、前記下部主拘束弾性部材２６、前記上部副拘束弾性部材２７、前記下部副拘束弾性部材２８の表面に取り付けた面フアスナー雌（輪）片２４と、を備えたことを特徴とする係留部材付き四本拘束膝カバー弾性保護具２である。
【００７７】
本発明の第２実施形態の２は、膝カバー弾性部材２０を経て直接に加圧されない着用者の肌面の窪み部用の係留部材３である前記膝カバー弾性部材２０の前記膝蓋部８の両側縁部の肌面の窪み部に当接する押圧部４を立設した係留部材３（図では接縁型単数押圧部付き楕円係留部材１４）と、前記膝カバー弾性部材２０の前記膝蓋部８の表面の窪み部に当接する押圧部４を立設した係留部材３（図では中央型単数押圧部付き円係留部材１６）の各押圧部４は、膝の屈折時に生ずる膝カバー弾性部材２０の引張力で押圧部４が引き寄せられて、前記押圧部４が当接する窪み部に圧縮力を増減することにより、窪み部周辺の靭帯や筋肉を柔軟化できるもので、他の係留部材３の押圧部４は、各拘束弾性部材の捲き締め力によって、当接する窪み部に直下型の圧縮力を強弱調節して負荷できるという効果がある。
【００７８】
本発明の第２実施形態の２は、膝カバー弾性部材２０の裏面に、押圧部４を立設した係留部材３の及ぼす拘束機能により、パンツやズボンの上から、本発明を着装できるが、膝カバー弾性部材２０がずれることがなく、膝蓋部８の周縁部の肌面の窪み部に、膝の屈折時に往復繰り返し生ずる横方向の圧縮力と、前記直下型の圧縮力との合成圧縮力が、前記窪み部に垂直から斜め下方向の合成圧縮力として作用し、窪み部付近の靭帯や筋肉の柔軟性を向上するので、毎日使用することにより着用者の膝関節部位周辺の障害の予防を図ることができる。
【００７９】
なお、本発明の第２実施形態の２は、膝カバー弾性部材２０に取付ける多種類の係留部材３と膝カバー弾性部材２０と拘束弾性部材を主要部材とすることから、着用者の個人差に応じて、共通部品として製作した係留部材３の押圧部４を各種ピッチに配置した膝カバー弾性部材２０や、形状記憶機能や細孔設定等の各種材料にて引張強度の調整された膝カバー弾性部材２０を個別に製作して在庫し、ユーザーの要望や体質に応じて最適な膝カバー弾性部材２０に、各種の拘束弾性部材を取付けて出荷できるので、製作費の低減と優れた品質保証体制が確立できる。
【符号の説明】
【００８０】
1  係留部材付き二本拘束膝カバー弾性保護具
2  係留部材付き四本拘束膝カバー弾性保護具
3  係留部材
4  押圧部
5  大腿部
6  大腿下部
7  膝部
8  膝蓋部
9  脛部
10  脛上部
11  足部
12  接縁型複数押圧部付き楕円形係留部材
13  中央型複数押圧部付き楕円形係留部材
14  接縁型単数押圧部付き楕円形係留部材
15  接縁型単数押圧部付き円形係留部材
16  中央型単数押圧部付き円形係留部材
17  中央型単数押圧部付き楕円形係留部材
18  楕円形係留部材
19  円形係留部材
20  膝カバー弾性部材
21  上部係留部材
22  下部係留部材
23  面フアスナー雄（鍵）片
24  面フアスナー雌（輪）片
25  上部主拘束弾性部材
26  下部主拘束弾性部材
27  上部副拘束弾性部材
28  下部副拘束弾性部材
29  上部主係止端部
30  下部主係止端部
31  上部副係止端部
32  下部副係止端部
33  係留部材取付孔
【図１】
2010168677.tif 000003
【図２】
2010168677.tif 000004
【図３】
2010168677.tif 000005
【図４】
2010168677.tif 000006
【図５】
2010168677.tif 000007
【図６】
2010168677.tif 000008
【図７】
2010168677.tif 000009
【図８】
2010168677.tif 000010
【図９】
2010168677.tif 000011
【図１０】
2010168677.tif 000012
【図１１】
2010168677.tif 000013
【図１２】
2010168677.tif 000014
【図１３】
2010168677.tif 000015
【図１４】
2010168677.tif 000016
【図１５】
2010168677.tif 000017
【図１６】
2010168677.tif 000018
【図１７】
2010168677.tif 000019
【図１８】
2010168677.tif 000020
【図１９】
2010168677.tif 000021
【図２０】
2010168677.tif 000022
【図２１】
2010168677.tif 000023
【図２２】
2010168677.tif 000024
【図２３】
2010168677.tif 000025
【図２４】
2010168677.tif 000026
【図２５】
2010168677.tif 000027
【図２６】
2010168677.tif 000028
【図２７】
2010168677.tif 000029
【図２８】
2010168677.tif 000030
【図２９】
2010168677.tif 000031
【手続補正書】
【提出日】平成21年4月15日(2009.4.15)
【手続補正１】
【補正対象書類名】明細書
【補正対象項目名】００１５
【補正方法】変更
【補正の内容】
【００１５】
第１の課題解決手段は、着用者の大腿下部、膝蓋部、脛上部に対面するように形成された膝カバー弾性部材と、前記膝カバー弾性部材の裏面に取付けて、膝蓋部の上縁部と下縁部に近接する窪み部に当接する押圧部を立設した係留部材と、前記膝カバー弾性部材の上端部の表面に取付けて、前記押圧部が当接する膝蓋部の上縁部の窪み部に圧縮力を加えて締着する上部主拘束弾性部材と、前記膝カバー弾性部材の下端部の表面に取付けて、前記押圧部が当接する膝蓋部の下縁部の窪み部に圧縮力を加えて締着する下部主拘束弾性部材と、を備えた係留部材付き二本拘束膝カバー弾性保護具を、大腿下部、膝蓋部、脛上部に着用することを特徴とする係留部材付き膝カバー弾性保護具である。
【手続補正２】
【補正対象書類名】明細書
【補正対象項目名】００１６
【補正方法】変更
【補正の内容】
【００１６】
第２の課題解決手段は、着用者の大腿部、大腿下部、膝蓋部、脛上部、脛部に対面するように形成された膝カバー弾性部材と、前記膝カバー弾性部材）の裏面に取付けて、膝蓋部の上縁部と下縁部に近接する窪み部に当接する押圧部を立設した係留部材と、前記膝カバー弾性部材の上端部の表面に取付けて、前記押圧部が当接する膝蓋部の上縁部の窪み部に圧縮力を加えて締着する上部主拘束弾性部材と、前記膝カバー弾性部材の下端部の表面に取付けて、前記押圧部が当接する膝蓋部の下縁部の窪み部に圧縮力を加えて締着する下部主拘束弾性部材と、前記膝カバー弾性部材の上端部の表面に取付けて大腿部を締着する上部副拘束弾性部材と、前記膝カバー弾性部材の下端部の表面に取付けて脛部を締着する下部副拘束弾性部材を備えた係留部材付き四本拘束膝カバー弾性保護具、
又は、着用者の大腿部、大腿下部、膝蓋部、脛上部、脛部に対面するように形成された膝カバー弾性部材と、前記膝カバー弾性部材）の裏面に取付けて、膝蓋部の上縁部と下縁部に近接する窪み部に当接する押圧部を立設した係留部材と、前記膝カバー弾性部材の上端部の表面に取付けて、前記押圧部が当接する膝蓋部の上縁部の窪み部に圧縮力を加えて締着する上部主拘束弾性部材と、前記膝カバー弾性部材の下端部の表面に取付けて、前記押圧部が当接する膝蓋部の下縁部の窪み部に圧縮力を加えて締着する下部主拘束弾性部材と、前記膝カバー弾性部材の上端部の裏面に取付けて大腿部の窪み部に圧縮力を加える押圧部を立設した係留部材と、前記膝カバー弾性部材の上端部の表面に取付けて、前記係留部材を経て大腿部を締着する上部副拘束弾性部材と、前記膝カバー弾性部材の下端部の裏面に取付けて、脛部の窪み部に圧縮力を加える押圧部を立設した係留部材と、前記膝カバー弾性部材の下端部の表面に取付けて、前記係留部材を経て脛部を締着する下部副拘束弾性部材を備えた係留部材付き四本拘束膝カバー弾性保護具のいずれかを、大腿部、大腿下部、膝蓋部、脛上部、脛部に着用することを特徴とする係留部材付き膝カバー弾性保護具。
【手続補正３】
【補正対象書類名】明細書
【補正対象項目名】００３７
【補正方法】変更
【補正の内容】
【００３７】
接縁型複数押圧部付き楕円形係留部材１２は、着用者の膝蓋部８付近の靭帯や筋肉を柔らかにするために、膝蓋部８の上下縁部に接近して足軸に直角な方向に並んだ二箇所の窪み部に、上部主拘束弾性部材２５と下部主拘束弾性部材２６の弾力を、膝カバー弾性部材２０を介して押圧部４にて、直下型の圧縮力を集中するが、裾野を広くした２個の押圧部４の周縁部を図６〜図７に示すように、膝蓋部８の周縁部や脛部９などの骨部分に接触しないように、楕円形係留部材１８の周縁部に接円して大きな底面積の楕円形係留部材１８に一体に形成して、前記膝カバー弾性部材２０と、上部主拘束弾性部材２５と、下部主拘束弾性部材２６の捲着による圧縮力を窪み部に集中できるように形成してある。
【手続補正４】
【補正対象書類名】明細書
【補正対象項目名】００４１
【補正方法】変更
【補正の内容】
【００４１】
中央型複数押圧部付き楕円形係留部材１３は、押圧部４の底部面積よりも広く形成した楕円形係留部材１８の中央部に押圧部４を立設し、押圧部４が加圧する窪み部として、着用者の膝蓋部８の周りで足軸に直角な方向に並んだ窪み部を選定し、その窪み部に上部拘束弾性部材３８と下部拘束弾性部材３９の弾力で押圧を加える。
【手続補正５】
【補正対象書類名】明細書
【補正対象項目名】００６６
【補正方法】変更
【補正の内容】
【００６６】
裏面に取り付けた上部係留部材２１の押圧部を、前記膝蓋部８の周りの肌面の窪み部に圧着する拘束部材として、上部主拘束弾性部材２５は、裏面に上部係留部材２１を取付けた膝カバー弾性部材２０の上部表面に一方の端部を横置きに取付けて、他方の端部の上部主係止端部２９を外方向に伸ばして配置し、一方捲き方式で、前記一方の端部の上から大腿下部６に数回捲き付けることにより、窪み部に対する押圧力を強弱調整して、最後に固定するために、前記上部主係止端部２９の裏面に面フアスナー雄（鍵）片２３を取り付け、前記面フアスナー雄（鍵）片２３と係止する面フアスナー雌（輪）片２４を前記上部主拘束弾性部材２５の表面に取付けてある。
【手続補正６】
【補正対象書類名】特許請求の範囲
【補正対象項目名】全文
【補正方法】変更
【補正の内容】
【特許請求の範囲】
【請求項１】
着用者の大腿下部（６）、膝蓋部（８）、脛上部（１０）に対面するように形成された膝カバー弾性部材（２０）と、
表面に立設した押圧部（４）の底面積よりも大きな底面積を形成し、かつ、押圧部（４）の立設位置を着用者の膝蓋部（８）の骨部の上下縁部や、脛部（９）の骨部の周りに近接する窪み部を押圧する接縁型や、または、前記膝蓋部（８）の上縁部や下縁部から離れた窪み部を押圧する中央型の、いずれかに形成して、前記膝カバー弾性部材（２０）の裏面に取付ける係留部材（３）と、
前記膝カバー弾性部材（２０）の上端部の表面に取付けて、前記押圧部（４）が当接する膝蓋部（８）の上縁部の窪み部に圧縮力を加えて締着する上部主拘束弾性部材（２５）と、
前記膝カバー弾性部材（２０）の下端部の表面に取付けて、前記押圧部（４）が当接する膝蓋部（８）の下縁部の窪み部に圧縮力を加えて締着する下部主拘束弾性部材（２６）と、
を備えた係留部材付き二本拘束膝カバー弾性保護具（１）を、大腿下部（６）、膝蓋部（８）、脛上部（１０）に着用して、着用当初の上部主拘束弾性部材（２５）と、下部主拘束弾性部材（（２６）の締着による前記膝蓋部（８）の上下縁部の窪み部に掛かる直下型の圧縮力と、使用中における膝の屈折動作で、前記膝カバー弾性部材（２０）の引き寄せ力による前記膝蓋部（８）の上下縁部の窪み部に掛かる横方向の圧縮力とで、前記膝蓋部（８）の上下縁部周辺の靭帯や筋肉を柔軟化して、着用者の膝関節部位の障害を予防することを特徴とする係留部材付き膝カバー弾性保護具。
【請求項２】
請求項１において、
膝蓋部（８）の上下縁部と両側縁部や、脛上部（１０）等の肌面に存在する窪み部に圧縮力を加える押圧部（４）を立設した係留部材、または、大腿下部（６）や、膝蓋部（８）の上下縁部と両側縁部や、脛上部（１０）等の肌面に存在する窪み部に圧縮力を加える押圧部（４）を立設した係留部材（３）のいずれかを裏面に取付けた着用者の大腿部（５）、大腿下部（６）、膝蓋部（８）、脛上部（１０）、脛部（９）に対面するように形成された膝カバー弾性部材（２０）と、
前記膝カバー弾性部材（２０）の上端部の表面に取付けて、大腿部（５）を締着する上部副拘束弾性部材（２７）と、前記膝カバー弾性部材（２０）の下端部の表面に取付けて、脛部（９）を締着する下部副拘束弾性部材（２８）を備えた係留部材付き四本拘束膝カバー弾性保護具（２）、又は、
大腿部（５）や、大腿下部（６）や、膝蓋部（８）の上下縁部と両側縁部や、脛部（９）等の肌面に存在する窪み部に圧縮力を加える押圧部（４）を立設した係留部材（３）を裏面に取付けた着用者の大腿部（５）、大腿下部（６）、膝蓋部（８）、脛上部（１０）、脛部（９）に対面するように形成された膝カバー弾性部材（２０）と、
前記膝カバー弾性部材（２０）の上端部の裏面に取付けて、大腿部（５）の窪み部に圧縮力を加える押圧部（４）を立設した係留部材（３）と、前記膝カバー弾性部材（２０）の上端部の表面に取付けて、前記係留部材（３）を経て大腿部（５）を締着する上部副拘束弾性部材（２７）と、前記膝カバー弾性部材（２０）の下端部の裏面に取付けて、脛部（９）周辺の窪み部に圧縮力を加える押圧部（４）を立設した係留部材（３）と、前記膝カバー弾性部材（２０）の下端部の表面に取付けて、前記係留部材（３）を経て脛部（９）を締着する下部副拘束弾性部材（２７）と、
を備えた係留部材付き四本拘束膝カバー弾性保護具（２）のいずれかを、大腿部（５）、大腿下部（６）、膝蓋部（８）、脛上部（１０）、脛上部（９）に被せて着用し、着用当初の上部主拘束弾性部材（２５）と下部主拘束弾性部材（（２６）や、上部副拘束弾性部材（２７）と下部副拘束弾性部材（２７）の締着による前記膝蓋部（８）の上縁部と下縁部の肌面の窪み部と、大腿部（５）と脛部（９）の窪み部に当接する押圧部（４）による直下型の圧縮力と、使用中における膝の屈折動作で、前記膝カバー弾性部材（２０）の引き寄せ力による前記膝蓋部（８）の上下縁部の窪み部に掛かる横方向の圧縮力や、前記大腿部（５）の窪み部、前記膝蓋部（８）の両側縁部、前記脛部（９）の窪み部に掛かる横方向の圧縮力とで、
前記膝蓋部（８）の上下縁部周辺の靭帯や筋肉を柔軟化して、着用者の大腿部（５）〜脛部（９）の障害を予防することを特徴とする係留部材付き膝カバー弾性保護具。
以上。
【手続補正書】
【提出日】平成21年10月20日(2009.10.20)
【手続補正１】
【補正対象書類名】明細書
【補正対象項目名】全文
【補正方法】変更
【補正の内容】
【発明の詳細な説明】
【技術分野】
【０００１】
本発明は、昇降時の膝蓋部周辺の靭帯や筋肉の柔軟性を向上して障害を予防し、膝蓋部周辺を保護する弾性保護具に関する。
【背景技術】
【０００２】
従来の膝用サポーターで、着用者の膝蓋部に対応する位置に開口を有するとともに、前面側に止着部を有する展開可能なサポーター本体と、扁平な概略Ｖ字状に延設されるとともに、その屈曲部および各端部にそれぞれ第一および第２の止着部を有し、前記第１の止着部が前記サポーター本体の前面側および後面側の下腿部対応箇所に着脱自在に設けられ、前記第２の止着部が前記サポーター本体の前面側の大腿対応箇所に着脱自在に設けられた伸縮自在なストラップ部材と、を備えた膝用サポーターがある。（例えば特許文献１参照。）。
【０００３】
また、関節の周囲に装着され、関節の曲がりの外側、内側の一方又は両方に、関節の曲げを容易化する孔部を有し、関節の側面の一方又は両方に、転倒時の衝撃を緩和する保護部材を有して運動性を阻害することが少ない膝、肘用サポーターがある。（例えば特許文献２参照。）。
【０００４】
また、膝の上部に巻き付け固定される上部固定部、膝の下部に巻き付け固定される下部固定部、上部固定部及び下部固定部が所定位置に固定されるとき膝蓋骨の前面側において上下方向に配置される第１補助部材、基部が第１補助部材の一方側において上部固定部及び下部固定部に取付けられ、端部が第１補助部材の他方側まで伸びて上部固定部に取付自在とされた略Ｖ字状の第２補助部材、基部が第１補助部材の前記一方側において上部固定部及び下部固定部に取付けられ、端部が第１補助部材の前記他方側まで伸びて下部固定部に取付自在とされた略Ｖ字状の第３補助部材からなり、かつ上部固定部、下部固定部及び第１〜第３補助部材はすべて伸縮性を有する膝装着用サポーターがある。（例えば特許文献３参照。）。
【０００５】
体型あるいは患部の位置に応じて異なるツボ位置へ健康促進部材を任意に取着でき、また関節等の屈伸に影響を与えず、装着状態もスマートとなるサポーターとして、伸縮性を有する両面パイル生地からなるサポーター主体の一端部片面に、表面を面ファスナー雄面とした止着片を取付けるとともに、該止着片の取着面側の任意の位置に、磁石等の健康促進部材を固定した単一又は複数の面ファスナー雄片を脱着自在に重着した考案がある。（例えば特許文献４参照。）。
【０００６】
また、腹帯であるため常に巻着・締着が出来て、又、着脱が簡単であり巻着・締着した儘で寝返りをしても、駒器具は壷（急所）から、はずれて移動することがないことを課題として、本体となる腹帯は、適当な厚サ・巾・長サで伸縮する素材Ａを使用した、その腹帯と駒器具で構成する。腹帯の背面側の腰及び背筋が当たる部位は、外側と内側の二重層の袋状とする。外側の層は伸縮する素材として、内側の層は肌側は伸縮する素材として、内側の層は肌側全面にマジック布を施した素材Ｂを、素材Ａに縫着したことを、特徴とする腰・背筋の壺を自在に選び押圧する腹帯・駒器具がある。（例えば特許文献５参照。）。
【０００７】
また、強力な磁力線を腰等の患部に放射でき、身体への着用性の改善を図ることのできる磁気ベルトとして、ネオジ磁石を複数有し、隣り合うネオジ磁石の磁極の向きが反対になるように配列した磁石パットと、該磁石パットを着脱自在に取り付ける取付手段を内面に有する当該支持部と、該当接支持部の両側に延長する伸縮部と、両方の伸縮部の先端側に延長しかつ外面に雌型面ファスナーを有する先端係合部と、一方の先端係合部の内面に設けられて他方の先端係合部の雌型面ファスナーに係合自在な雄型面ファスナーを有するベルト本体と、前記当該支持部に接続されて両側に延長し、先端部分の内面に前記雌型面ファスナーに係合自在な雄型面ファスナーを有する締付弾性バンド部とを備えたことを特徴とする磁気ベルトがある。（例えば特許文献６参照。）。
【０００８】
また、身体の腰部の背中側に位置する硬性の背面部と、この背面部の両側に伸縮自在に連結される調整部と、これら調整部の各端部に接続されて互いを連結する一対の止着部とにより、身体の腰部に巻き掛け装着する腰ベルトを形成し、上記背面部の内側面には適宜数の圧迫体を着脱自在かつ移動自在に付着したことを特徴とする指圧ベルトがある。（例えば特許文献７参照。）。
【先行技術文献】
【特許文献】
【０００９】
【特許文献１】特開２００２−８８５３４号公報
【特許文献２】特開平１１−１９２３３３号公報
【特許文献３】特開２００２−１９１６２９号公報
【特許文献４】実開平６−０３８９４７号公報
【特許文献５】特開平１１−２７６５４６号公報
【特許文献６】特開２００２−１３６６０９号公報
【特許文献７】実開６２−９２８２７号公報
【発明の概要】
【発明が解決しようとする課題】
【００１０】
従来の膝用サポーターは、着用者のパンツやズボンの上から膝蓋部周辺の窪み部に圧縮力を加えて保持することが困難であるという問題があった。
【００１１】
また、従来の膝用サポーターは、両側から相対して捲着する構成であるため、着用者の膝蓋部表面や膝蓋部周辺の窪み部に、着用者の個人差や症状に応じた締付力を強弱調節して圧力を加えることができないという問題があった。
【００１２】
また、従来の膝用サポーターは、その捲着方式のため、必然的に膝カバー弾性部材の上下部裏面の肌面に対する締着力の調節機能がないので、膝の屈折時に生ずる膝カバー弾性部材の引張力を、膝蓋部表面や膝蓋部周辺に有効に利用することができないという問題があった。
【００１３】
本発明は、従来の膝用サポーターの前記問題を解決して、着用者の膝蓋部周辺の靭帯や筋肉の柔軟性を向上して保護し、膝関節部位の障害を予防する弾性保護具を提供することを目的とする。
【課題を解決するための手段】
【００１４】
本発明は、超弾性合金、形状記憶合金、形状記憶複合材料、形状記憶樹脂、形状記憶繊維、樹脂発泡体、汎用ゴム材料、汎用樹脂、汎用エンプラ等を使用し、大腿部、大腿下部、膝蓋部、脛上部、脛部等の脚部の上面部に対面する上面用膝カバー弾性部材、又は、下面部に対面する下面用膝カバー弾性部材のいずれかを、予め、膝を曲げた状態、又は、膝を伸ばした状態にて形状記憶して無ひずみ化し、前記上面用膝カバー弾性部材、又は、下面用膝カバー弾性部材の片面に押圧部を取付け、前記上面用膝カバー弾性部材、又は、前記下面用膝カバー弾性部材を脚部に取付ける拘束弾性部材に形状記憶樹脂、形状記憶繊維、樹脂発泡体、汎用ゴム材料、汎用樹脂、汎用エンプラ等を使用し、前記拘束弾性部材に取付けた面フアスナー〈鍵〉片と、面フアスナー〈雌〉片とを結合して脚部に取り付ける係留部材付き膝カバー弾性保護具であって、膝を曲げた状態を形状記憶した上面用膝カバー弾性部材、又は、前記下面用膝カバー弾性部材のいずれかを、膝の屈伸動作時に生ずる前記形状記憶された膝カバー弾性部材の復元力を利用して、前記上面用膝カバー弾性部材、又は、前記下面用膝カバー弾性部材に取付けた押圧部で、膝蓋骨周辺の窪み部(ツボ)に圧縮力を繰り返し増減して加えることを特徴とした係留部材付き膝カバー弾性保護具である。
【発明の効果】
【００１５】
本発明は、膝カバー弾性部材の裏面に先端が凸状の押圧部を立設した係留部材を取付けて、膝カバー弾性部材の表面から、裏面の係留部材を各拘束主弾性部材で締め付ける構成により、着用者の膝蓋部周辺の窪み部に直接、または、着用者のパンツやズボンの上から、凸状の押圧部で押圧できるので、従来の膝用サパーターよりも、膝カバー弾性部材を確実に取り付けることができる。
【００１６】
本発明は、表面に取り付けた多重捲き可能な上部主拘束弾性部材と下部主拘束弾性部材を取付けた膝カバー弾性部材、または、上部主拘束弾性部材、下部主拘束弾性部材、上部副拘束弾性部材、下部副拘束弾性部材を取付けた膝カバー弾性部材のいずれかを使用したことにより、各種の係留部材を活用することが可能となり、かつ、各拘束弾性部材を一方捲きにて、膝カバー弾性部材の裏面に取付けられた係留部材に立設した押圧部で、肌面の窪み部に直下型の圧縮力を加える場合に、着用者の年齢、性別、肥満度合い、症状等の個人差に応じて、捲き締め力を加減して前記圧縮力を強弱調整ができるので、膝の屈折時の膝カバー弾性部材の伸縮効果と相乗して、着用者の肌面の窪み部付近の靭帯や筋肉の柔軟性を容易に向上することができる。
【００１７】
従来の膝用サポーターの構成は、締め付け力の強弱調整が極めて困難なことから、仮に腰帯用の健康促進部材や磁石パットや駒器具を使用したとしても、使用感に支障のないように取付けたとしても、膝の屈折時に生ずる膝カバー弾性部材の大きな引張力で、窪み部に嵌着している健康促進部材や磁石パットや駒器具が引き寄せられて窪み部から外に浮きでたり、または、膝カバー弾性部材全体がずれ動くという問題があったが、本発明の多重捲き可能な上下部主拘束弾性部材や、上下部副拘束弾性部材は、一方捲きのため相互に増す締めが可能なため、使用感を悪くすることなく、膝カバー弾性部材の裏面と着用者の肌面との密着力を大きくでき、また、多重捲きにて膝カバー弾性部材の上から強弱調節された直下型の圧縮力で、各係留部材の押圧部を、着用者の年齢、性別、肥満の度合い、症状等の個人差に応じて、着用者に支障なく肌面の窪み部に押し圧できるので、従来の膝用サポーターよりも窪み部に対する保持性が極めて優れている。
【００１８】
また、本発明は、着用者の膝関節部位に架けた膝カバー弾性部材裏面の上下両端部の係留部材に立設された押圧部を、着用者の膝蓋部の周りの相対する複数の窪み部に直接、または、パンツやズボンを介する間接のいずれかでも、確実に保持することができるので、係留部材と膝カバー弾性部材の相乗効果を奏することができる。
【００１９】
また、着用者が使用中に膝を屈折する度に生ずる膝蓋部の両側の窪み部に架けた膝カバー弾性部材の伸縮により、着用者の膝関節部位に架けた膝カバー弾性部材の両端部の押圧部が、当接した窪み部に対して肌面に平行な圧縮力と、膝カバー弾性部材の裏面に取り付けた複数の押圧部に及ぼす各拘束弾性部材の一方捲きによる圧着作用による肌面に直角な圧縮力が複合された加圧方向を肌面に直下から斜め下方向とする合成圧縮力によって、押圧部が当接された窪み部付近の靭帯や筋肉の柔軟性を向上できるので、本発明を毎日着用することで関節部位の障害の予防を図ることができる。
【図面の簡単な説明】
【００２０】
【図１】実施例１の係留部材付き二本拘束膝カバー弾性保護具の平面図である。
【図２】図１の側面図である。
【図３】図１の正面図である。
【図４】図１の裏面図である。
【図５】実施例１の係留部材付き二本拘束膝カバー弾性保護具の使用状態を示す正面図である。
【図６】接縁型複数押圧部付き楕円形係留部材の平面図である。
【図７】図６の側面図である。
【図８】図６の正面図である。
【図９】中央型複数押圧部付き楕円形係留部材の平面図である。
【図１０】図９の正面図である。
【図１１】接縁型単数押圧部付き楕円形係留部材の平面図である。
【図１２】図１１の側面図である。
【図１３】図１１の正面図である。
【図１４】接縁型単数押圧部付き円形係留部材の平面図である。
【図１５】図１４の側面図である。
【図１６】図１４の正面図である。
【図１７】中央型単数押圧部付き円形係留部材の平面図である。
【図１８】図１７の側面図である。
【図１９】図１７の正面図である。
【図２０】中央型単数押圧部付き楕円形係留部材の平面図である。
【図２１】図２０の側面図である。
【図２２】図２０の正面図である。
【図２３】実施例３の係留部材付き四本拘束膝カバー弾性保護具の平面図である。
【図２４】図１の側面図である。
【図２５】図１の正面図である。
【図２６】図１の裏面図である。
【図２７】実施例３の使用状態を示す正面図である。
【図２８】実施例２の係留部材を取り付けた係留部材付き二本拘束膝カバー弾性保護具の裏面図である。
【図２９】実施例４の係留部材を取り付けた係留部材付き四本拘束膝カバー弾性保護具の裏面図である。
【発明を実施するための形態】
【００２１】
本発明は、超弾性合金、形状記憶合金、形状記憶複合材料、形状記憶樹脂、形状記憶繊維、樹脂発泡体、汎用ゴム材料、汎用樹脂、汎用エンプラ等を使用し、大腿部５、大腿下部６、膝蓋部８、脛上部１０、脛部９等の脚部の上面部に対面する上面用膝カバー弾性部材２０a、又は、下面部に対面する下面用膝カバー弾性部材２０ｂのいずれかを、予め、膝を曲げた状態、又は、膝を伸ばした状態にて形状記憶して無ひずみ化し、前記上面用膝カバー弾性部材２０a、又は、下面用膝カバー弾性部材２０ｂの片面に押圧部４を取付け、前記上面用膝カバー弾性部材２０a、又は、前記下面用膝カバー弾性部材２０ｂを脚部に取付ける拘束弾性部材に形状記憶樹脂、形状記憶繊維、樹脂発泡体、汎用ゴム材料、汎用樹脂、汎用エンプラ等を使用し、前記拘束弾性部材に取付けた面フアスナー〈鍵〉片２３と、面フアスナー〈雌〉片２４とを結合して脚部に取り付ける係留部材付き膝カバー弾性保護具２０であって、膝を曲げた状態を形状記憶した上面用膝カバー弾性部材２０a、又は、前記下面用膝カバー弾性部材２０ｂのいずれかを、膝の屈伸動作時に生ずる前記形状記憶された膝カバー弾性部材の復元力を利用して、前記上面用膝カバー弾性部材２０a、又は、前記下面用膝カバー弾性部材２０ｂに取付けた押圧部で、膝蓋骨周辺の窪み部(ツボ)に圧縮力を繰り返し増減して加えることを特徴とした係留部材付き膝カバー弾性保護具である。
【００２２】
本発明において、図１は、実施例１の係留部材付き二本拘束膝カバー弾性保護具１の平面図、図２は、図１の側面図、図３は図１の正面図、図４は、図１の裏面図、図５は、実施例１の使用状態を示す正面図、第２８は、実施例２の係留部材付き二本拘束膝カバー弾性保護具の裏面図である。
【００２３】
本発明の実施例１は、着用者の大腿下部６、膝蓋部８、脛上部１０に対面するように形成された膝カバー弾性部材２０と、前記膝カバー弾性部材２０の上部表面に片方の端部を取付けて、他方の端部の上部主係止端部２９を外方向に伸ばして配置した上部主拘束弾性部材２５と、前記上部主拘束弾性部材２５と平行で、反対方向に前記膝カバー弾性部材２０の下部表面に片方の端部を取付けて、他方の端部の下部主係止端部３０を外方向に伸ばして配置した下部主拘束弾性部材２６と、前記上部主拘束弾性部材２５の片方の端部を取り付けた前記膝カバー弾性部材２０の上部表面の直下の裏面に取付けた上部係留部材２１と、前記下部主拘束弾性部材２６の片方の端部を取り付けた前記膝カバー弾性部材２０の下部表面の直下の裏面に取付けた下部係留部材２２と、前記上部主係止端部２９、下部主係止端部３０の裏面に取り付けた面フアスナー雄（鍵）片２３と、前記上部主拘束弾性部材２５、下部主拘束弾性部材２６の表面に取り付けた面フアスナー雌（輪）片２４と、を備えたことを特徴とする係留部材付き二本拘束膝カバー弾性保護具１である。
【００２４】
膝カバー弾性部材２０は、図１〜図５に示すように、上方に大腿部５を配し、下方に足部１１の上の脛部９を配した大腿下部６と膝蓋部８と脛上部１０の前側肌面に取り付けて使用するもので、上部裏面に取り付けられた上部係留部材２１（例えば、図示では接縁型複数押圧部付き楕円形係留部材１２）と、下部裏面に取り付けられた下部係留部材２２（例えば、図示では接縁型複数押圧部付き楕円形係留部材１２）に、それぞれ立設した各押圧部４を、膝蓋部８上部の大腿下部６の肌面の複数の窪み部と、膝蓋部８の下部の脛上部１０の肌面の複数の窪み部に当接して、前記上部係留部材２１と前記下部係留部材２２を膝カバー弾性部材２０の裏面に取り付ける。なお膝カバー弾性部材２０の材質としては、樹脂発泡体、汎用ゴム材料、汎用樹脂、汎用エンプラ、形状記憶樹脂、形状記憶繊維、超弾性合金、形状記憶合金、形状記憶複合材料等を使用する。
【００２５】
上部拘束弾性部材２５は、膝カバー弾性部材２０の裏面に上部係留部材２１を取付けた直上の、膝カバー弾性部材２０の上部表面に一方の端部を取付けて、他方の端部の上部主係止端部２９を外方向に伸ばして配置し、前記上部主係止端部２９の裏面に面フアスナー雄（鍵）片２３を取り付け、前記面フアスナー雄（鍵）片２３と係止する面フアスナー雌（輪）片２４を前記上部主拘束弾性部材２５の表面に取付けてある。
【００２６】
また、下部主拘束弾性部材２６は、膝カバー弾性部材２０の裏面に下部係留部材２２を取付けた直上の膝カバー弾性部材２０の下部表面に、前記上部主拘束弾性部材２５の一方の端部を取付けた方向とは逆方向に、一方の端部を取付けて、他方の端部の下部主係止端部３０を外方向に伸ばして配置し、前記下部主係止端部３０の裏面に面フアスナー雄（鍵）片２３を取り付け、前記下部主拘束弾性部材２６の表面には前記面フアスナー雄（鍵）片２３と係止する面フアスナー雌（輪）片２４が取付けてある。
【００２７】
なお、図５から明らかのように、上部係留部材２１や下部係留部材２２の各押圧部４の形状は、着用者の年齢、性別、身体の大小等の個人差があるので、例えば、押圧部４の高さを大腿部下部６や大腿部５用のものは低くし、膝蓋部８の下方の脛上部１０用ものは形状を高く製作するとよい。
【００２８】
本発明の使用に際しては、図５に示すように、着用者の大腿下部６と膝蓋部８と脛上部１０に対面した膝カバー弾性部材２０の裏面下端部に取付けた下部係留部材２２に立設した押圧部４を、膝蓋部８の下側の脛上部１０の肌面の窪み部に当接して、膝カバー弾性部材２０の下部表面に、片方の端部を取付けた下部主拘束弾性部材２6を、脛部上部１０に左捲きに２回捲きつけて、前記膝カバー弾性部材２０を経て着用者の個人差に応じた圧力で脛上部１０の肌面の窪み部に圧縮力を負荷し、前記下部主拘束弾性部材２6の下部主係止端部３０の裏面に取付けた面フアスナー雄（鍵）片２３を、下部主拘束弾性部材２６の表面に取付けた面フアスナー雌（輪）片２４に係止して固定する。
【００２９】
次に、前記膝カバー弾性部材２０の上端部を大腿部5の方に引き上げて、上部主拘束弾性部材２５で大腿下部１０に右捲きに２回捲きつけて、前記膝カバー弾性部材２０の裏側に取付けた上部係留部材２１に立設した押圧部４にて、着用者の膝蓋部8の上方の大腿下部６の表面の窪み部に、着用者の個人差に応じて強弱調整された圧力を加えて、上部主係止端部２９の裏面に取付けた面フアスナー雄（鍵）片２３を、上部主拘束弾性部材２５の表面に取付けた面フアスナー雌（輪）片２４に係止して、着用中に膝カバー弾性部材２０の肌面への取り付けと前記押圧部４の窪み部との嵌合が緩まないようにする。なお各主拘束弾性部材の材質は、汎用エンプラ、汎用ゴム材料、汎用樹脂、形状記憶樹脂、形状記憶繊維等が使用される。
【００３０】
本発明の実施例１は、従来の膝用サポーターでは極めて困難であったズボンやパンツの上からの着用を、押圧部付き膝カバー弾性部材を使用したことにより容易に解決することができる。
【００３１】
また、表面に立設した押圧部４の底面の面積よりも大きな底面積を形成した係留部材３を、膝カバー弾性部材２０の裏面の上下部に複数取り付けて、その上から一方捲着方式とした主拘束弾性部材２５，２６の一方の端部を、膝カバー弾性部材２０の裏面に取り付けた係留部材３の上から捲き締め力が負荷できるようにして、主拘束弾性部材２５，２６の取付位置を膝カバー弾性部材の表面に横方向にして取り付ける。このことにより、押さえ台のように、一方捲着する主拘束弾性部材２５，２６が横置きされた一方の端部を押さえながら捲着されることから、押圧部４を捲付ける力を十分に集中でき圧縮力の強弱調整が容易にできる。
【００３２】
本発明は、図１〜図５に示すように、膝カバー弾性部材２０の上部裏面の上部係留部材２１と、膝カバー弾性部材２０の下部裏面の下部係留部材２２に、接縁型複数押圧部付き楕円形係留部材１２が双方に取り付けて使用されているが、本発明は、接縁型複数押圧部付き楕円形係留部材１２だけでなく、接縁型複数押圧部付き楕円形係留部材１２を含めて、図９〜図２２に示すような中央型複数押圧部付き楕円形係留部材１３、接縁型単数押圧部付き楕円形係留部材１４、接縁型単数押圧部付き円形係留部材１５、中央型単数押圧部付き円形係留部材１６、中央型単数押圧部付き楕円形係留部材17の内の同種、または、異種の複数の組合せからなる形係留部材のいずれかを、第一実施形態のみならず第二実施形態の膝カバー弾性部材２０の裏面に使用してもよい。なお、係留部材３の材質は、押圧部４の硬度を指先の硬さ程度にした汎用ゴム材料、汎用エンプラ、汎用樹脂等が使用される。
【００３３】
また、単数の押圧部４を立設した接縁型単数押圧部付き楕円形係留部材１４、接縁型単数押圧部付き円形係留部材１５、中央型単数押圧部付き円形係留部材１６、中央型単数押圧部付き楕円形係留部材17は、通常は、単独で使用され、例えば、膝蓋部表面に対面する膝カバー弾性部材２０の裏面に取り付けて、両端部を大腿下部６や脛上部に固定された膝カバー弾性部材２０が、着用者の行動で膝が屈折される毎に生ずる膝カバー弾性部材２０の引張力で、膝蓋部の表面に当接する係留部材３に立設した押圧部の分力の圧縮力で、膝蓋部の上面を繰返し押し圧して膝関節部位の障害を予防する効果を奏するが、取付ける位置を更に膝蓋部８の両側の窪み部にも取付けて使用すると、本発明の奏する係留部材３と膝カバー弾性部材２０との相乗効果にて膝関節部周辺の障害を一層予防することができる。
【００３４】
次は、本発明の実施例１〜実施例４にも使用される係留部材３として、図６は、接縁型複数押圧部付き楕円形係留部材１２の平面図、図７は、図６の側面図、図８は、図６の正面図である。
【００３５】
接縁型複数押圧部付き楕円形係留部材１２は、着用者の膝蓋部８付近の靭帯や筋肉を柔らかにするために、膝蓋部８の上下縁部に接近して足軸に直角な方向に並んだ二箇所の窪み部に、上部主拘束弾性部材２５と下部主拘束弾性部材２６の弾力を、膝カバー弾性部材２０を介して押圧部４に、膝カバー弾性部材２０の表面を介して集中するが、裾野を広くした２個の押圧部４の周縁部を図６〜図７に示すように、膝蓋部８の周縁部や脛部９などの骨部分に接触しないように、楕円形係留部材１８の周縁部に接円して大きな底面積の楕円形係留部材１８に一体に形成して、前記膝カバー弾性部材２０と、上部主拘束弾性部材２５と、下部主拘束弾性部材２６の捲着による圧縮力を窪み部に集中できるように形成してある。
【００３６】
接縁型複数押圧部付き楕円形係留部材１２は、図６に示すように、２個の押圧部４を側縁部に接して形成した楕円形状係留部材１８の周縁部に、膝カバー弾性部材２０の裏面に縫着できるようにした係留部材取付孔３３を設けて、周縁部には着用者の肌面や、ズボンやパンツの上から装着する際に負傷や、引っ掛からないように丸みを形成し、押圧部４の形状は、図７〜図８では円錐形に作図されてあるが、これに限定されるものではなく球形や楕円形などでもよい。なお、楕円形状係留部材１８の前記膝カバー弾性部材２０の裏面への取り付けは粘着剤による貼着でも差し支えない。
【００３７】
接縁型複数押圧部付き楕円形係留部材１２は、図２８や、図２９に示すように使用されるが、図２８の上部係留部材２１に使用される場合には、楕円形係留部材１８に押圧部４を３個立設して使用することがある。
【００３８】
図９は、中央型複数押圧部付き楕円形係留部材１３の平面図、図１０は、図９の正面図である。
【００３９】
中央型複数押圧部付き楕円形係留部材１３は、押圧部４の底部面積よりも広く形成した楕円形係留部材１８の中央部に押圧部４を立設し、押圧部４が加圧する窪み部として、着用者の膝蓋部２４の周りで足軸に直角な方向に並んだ窪み部を選定し、その窪み部に上部拘束弾性部材３８と下部拘束弾性部材３９の弾力で押圧を加える。
【００４０】
この中央型複数押圧部付き楕円形係留部材１３は、図９〜図１０に示すように着用者の骨部の周縁部に対面して２個の押圧部４で囲むように片側に凹部を形成し、主として大腿下部５の窪み部の加圧や、膝蓋部８よりも離れた脛部９の窪み部の加圧に使用され、楕円形係留部材１８の周縁部に係留部材取付孔３３を設けて伸縮可能な膝カバー弾性部材２０の裏面に縫着するためのもので、また周縁部には着用者の肌面や、ズボンやパンツの上から装着する際に負傷や、引っ掛からないように丸みを形成し、なお、中央型複数押圧部付き楕円形係留部材１３を前記膝カバー弾性部材２０の裏面に取り付ける方法としては、粘着剤による貼着でも差し支えない。
【００４１】
図１１は、接縁型単数押圧部付き楕円形係留部材１４の平面図、図１２は、図１１の側面図、図１３は、図１１の正面図である。
【００４２】
接縁型単数押圧部付き楕円形係留部材１４は、円形の単数押圧部４に楕円形係留部材１８の片側を接円して一体化した係留部材３で、図１１〜図１３に示すように、単数の円錐状の押圧部４を楕円形係留部材１８の縦端部に接して立設して、狭い位置でも容易に取り付けられるようにし、通常、大腿下部６や膝蓋部８の両側の窪み部で間隔が大きい位置に使用されるもので、着用者の年齢、性別、身体の大小等と個人差が大きい場合に取付けて使用するのに便利である。
【００４３】
接縁型単数押圧部付き楕円形係留部材１４は、図２９に示すように狭い位置に取り付けて肌面の窪み部に押圧部４を当接するに便利な係留部材３で、楕円形係留部材１８の周縁部に係留部材取付孔３３を設けてあるが、これは伸縮可能な膝カバー弾性部材２０の裏面に縫着して、係留部材３の底面積に掛かる圧縮力を押圧部４に集中するためのもので、また、周縁部には着用者の肌面や、ズボンやパンツの上から装着する際に負傷や、引っ掛からないように丸みを形成し、なお、接縁型単数押圧部付き楕円形係留部材１４を前記膝カバー弾性部材２０の裏面への取り付ける方法としては粘着剤による貼着でも差し支えない。
【００４４】
図１４は、接縁型単数押圧部付き円形係留部材１５の平面図、図１５は、図１４の側面図、図１６は、図１４の正面図である。
【００４５】
接縁型単数押圧部付き円形係留部材１５は、図１４〜図１６に示すように、円錐状の単数の押圧部４の底面積よりも大きな底面積の円形係留部材１９の片縁部に接触して立設したもので、伸縮可能な膝カバー弾性部材２０の裏面に縫着するために周縁部に係留部材取付孔３３を設け、周縁部には着用者の肌面や、ズボンやパンツの上から装着する際に負傷や、引っ掛からないように丸みを形成し、なお、接縁型単数押圧部付き円形係留部材１５の前記膝カバー弾性部材５２の裏面への取り付けは、粘着剤による貼着でもよい。
【００４６】
接縁型単数押圧部付き円形係留部材１５は、図２８、図２９に示すように、主として膝蓋部８の表面や周縁部、脛部９の骨部の周りの狭い位置の窪み部や、着用者の膝蓋部８周辺の複数の窪み部に当接して使用する場合に、着用者の個人差に応じて複数の押圧部４の間隔を自由に調節して取り付けられるので極めて便利である。
【００４７】
図１７は、中央型単数押圧部付き円形係留部材１６の平面図、図１８は、図１７の側面図、図１９は、図１７の正面図である。
【００４８】
中央型単数押圧部付き円形係留部材１６は、中央部に円錐形の単数の押圧部４を形成し、押圧部４の底面積よりも遥かに大きな取付面積の円形係留部材１９に押圧部４を立設して、主として、大腿下部６や大腿部５のような肉厚が大きく広い位置や、図２８、図２９に示すように膝蓋部８の中央部や、複数の窪み部の間隔が広い肌面に使用される。この中央型単数押圧部付き円形係留部材１６は、図１７〜図１９に示すように円形係留部材１９の周縁部に係留部材取付孔３３を設けてあるが、これも伸縮可能な膝カバー弾性部材２０の裏面に縫着するためのもので、周縁部には着用者の肌面や、ズボンやパンツの上から装着する際に負傷や、引っ掛からないように丸みを形成し、なお、中央型単数押圧部付き円形係留部材１６の前記膝カバー弾性部材２０の裏面への取り付けは、粘着剤による貼着でもよい。
【００４９】
図２０は、中央型単数押圧部付き楕円形係留部材１７の平面図、図２１は、図２０の側面図、図２２は、図２０の正面図である。
【００５０】
中央型単数押圧部付き楕円形係留部材１７は、図２０〜面２２に示すように、中央部に円錐状の単数の押圧部４を立設した楕円形係留部材１８で、周縁部に係留部材取付孔３３を設けてあるが、これも伸縮可能な膝カバー弾性部材２０の裏面に縫着するためのものである。なお、周縁部には着用者の肌面や、ズボンやパンツの上から装着する際に負傷や、引っ掛からないように丸みを形成してある。
【００５１】
中央型単数押圧部付き楕円形係留部材１７は、膝蓋部８の中央部や脛部９のように設置幅が狭い位置や、図２９に示すように幅が狭い拘束弾性部材に取り付け易いので便利である。なお、中央型単数押圧部付き楕円形係留部材１７を、前記膝カバー弾性部材２０の裏面への取り付けは粘着剤による貼着でもよい。
【００５２】
本発明の実施例２として、図２８は、第１実施形態の２の係留部材を取り付けた係留部材付き二本拘束膝カバー弾性保護具の裏面図である。
【００５３】
本発明の実施例２は、図２８に示すように、着用者の大腿下部６、膝蓋部８、脛上部１０に対面するように形成された膝カバー弾性部材２０と、前記膝カバー弾性部材２０の上部表面に片方の端部を取付けて、他方の端部の上部主係止端部２９を外方向に伸ばして配置した上部主拘束弾性部材２５と、前記上部主拘束弾性部材２５と平行で、反対方向に前記膝カバー弾性部材２０の下部表面に片方の端部を取付けて、他方の端部の下部主係止端部３０を外方向に伸ばして配置した下部主拘束弾性部材２６と、前記上部主拘束弾性部材２５の片方の端部を取り付けた前記膝カバー弾性部材２０の上部表面の直下の裏面に取付けた３個の押圧部４を立設した接縁型複数押圧部付き楕円形係留部材１２と、前記下部主拘束弾性部材２６の片方の端部を取り付けた前記膝カバー弾性部材２０の下部表面の直下の裏面に取付けた２個の押圧部４を立設した接縁型複数押圧部付き楕円形係留部材１２と、前記膝カバー弾性部材２０の両側縁部上方の肌面の窪み部に当接する押圧部４を立設した接縁型単数押圧部付き円形係留部材１５と、前記膝カバー弾性部材２０の表面の窪み部に当接する中央型単数押圧部付き円形係留部材と、下部係留部材２２と、前記上部主係止端部２９、下部主係止端部３０の裏面に取り付けた面フアスナー雄（鍵）片２３と、前記上部主拘束弾性部材２５、下部主拘束弾性部材２６の表面に取り付けた面フアスナー雌（輪）片２４と、を備えたことを特徴とする係留部材付き二本拘束膝カバー弾性保護具１である。
【００５４】
本発明の実施例２は、着用者の大腿下部６、膝蓋部８、脛上部１０に対面して取付けた膝カバー弾性部材２０の裏面に取付けた係留部材３に立設した押圧部４を、膝蓋部８周縁部の上方の大腿下部６、膝蓋部８周縁部、脛部９の肌面の窪み部にそれぞれ当接して、着用者の年齢、性別、肥満の程度、病状の程度、好みなどによる個人差を配慮して締め付けて加えた直下型の圧縮力と、大腿下部６と脛部９の肌面の窪み部に嵌着された両押圧部４によって、両窪み部に架かる膝カバー弾性部材の弾力の生ずる膝の屈折作用時の引張力の強弱で、反作用として両側の押圧部４の当接する窪み部にかかる横方向の圧縮力の往復作用によって、着用者の膝蓋部８周辺の靭帯や筋肉の柔軟性を向上して、膝関節部位の障害を予防することができるが、これとは別に、膝蓋部８の両縁部上方の肌面の窪み部と膝蓋部８の表面の窪み部が、膝の屈折時の膝カバー弾性部材２０の伸縮で繰り返し直下型の圧縮力を、膝蓋部８や、膝蓋部周縁部に与えるので、更に、膝蓋部周辺の靭帯や筋肉の柔軟性が向上される。
【００５５】
なお、図２８に示すように、係留部材３の各押圧部４の形状は、着用者の年齢、性別、身体の大小等の個人差があるので、例えば、押圧部４の高さを大腿部下部６や大腿部５用や膝蓋部表面用のものは低くし、膝蓋部８の下方の脛上部１０用ものは形状を高く製作し、或いは押圧部４の接触する肌面の硬さに応じて押圧部４の硬度を硬軟調整し、例えば膝蓋部表面用のものは若干柔らかに製作するとよい。
【００５６】
以上、本発明の実施形態は、実施例１と実施例２共に優れた効果を奏するが、その他に、膝カバー弾性部材２０に取付ける多種類の係留部材３と膝カバー弾性部材２０と上部主拘束弾性部材２５と下部主拘束弾性部材２６を主要部材とすることから、着用者の個人差に応じられるように、予め、共通部品として製作した係留部材３の押圧部４を、各種ピッチに配置した膝カバー弾性部材２０や、形状記憶機能や細孔数設定にて引張強度の調整された膝カバー弾性部材２０を別個に各種製作して在庫し、ユーザーの要望や体質に応じて最適な膝カバー弾性部材２０に、各種の主拘束弾性部材を取付けて出荷できるので、製作費の低減と優れた品質保証体制を確立することができる。
【００５７】
本発明の実施例３〜実施例４は、押圧部を立設した係留部材を裏面に取り付け、着用者の大腿部、大腿下部、膝蓋部、脛上部、脛部に対面するように形成された膝カバー弾性部材と、大腿下部に対面する前記膝カバー弾性部材の上部表面に片方の端部を取付けて、他方の端部の上部主係止端部を外方向に伸ばして配置した上部主拘束弾性部材と、脛上部に対面する前記膝カバー弾性部材の下部表面に、前記上部主拘束弾性部材と平行で反対方向に、片方の端部を取付けて、他方の端部の下部主係止端部を外方向に伸ばして配置した下部主拘束弾性部材と、裏面が大腿部に接触する前記膝カバー弾性部材の上端部表面に、前記上部主拘束弾性部材と並行で、反対方向に片方の端部を取付けて、他方の端部の上部副係止端部を外方向に伸ばして配置した上部副拘束弾性部材と、裏面が脛部に接触する前記膝カバー弾性部材の下端部表面に、前記下部主拘束弾性部材と並行で、反対方向に片方の端部を取付けて、他方の端部の下部副係止端部を外方向に伸ばして配置した下部副拘束弾性部材と、前記上部主係止端部、前記下部主係止端部、前記上部副係止端部、前記下部副係止端部の裏面に取り付けた面フアスナー雄（鍵）片と、前記上部主拘束弾性部材、前記下部主拘束弾性部材、前記上部副拘束弾性部材、前記下部副拘束弾性部材の表面に取り付けた面フアスナー雌（輪）片と、を備えたことを特徴とする係留部材付き四本拘束膝カバー弾性保護具である。
【００５８】
本発明は、効果を必要とする窪み部の範囲を基にして、実施例３〜実施例４が使用される。先ず、実施例３は、着用者の大腿部５、大腿下部６、膝蓋部８、脛上部１０、脛部９に対面して取付けた膝カバー弾性部材２０の裏面から、着用者の年齢、性別、肥満の程度、病状の程度、好みなどにより、個人差を配慮した肌面の窪み部に圧縮力を加えるために、膝蓋部８の上縁部と下縁部の肌面の窪み部を中心に、負荷する直下型の圧縮力と両縁部に架かる膝カバー弾性部材の弾力の有する膝の屈折作用時の引き寄せ力の強弱による横方向の圧縮力の往復作用によって、着用者の膝蓋部周辺の靭帯や筋肉の柔軟性を向上して、膝関節部位の障害を予防することを目的とし、また、実施例４は、膝蓋部周辺の靭帯や筋肉の柔軟性を向上する効果の範囲を広げて、大腿部５から膝蓋部８周辺を経て脛部９に至る肌面に存在する窪み部を支持基点として、係留部材の押圧部にて圧縮力を加えることにより、着用者の膝蓋部周辺の靭帯や筋肉の柔軟性を向上して、大腿部５から膝関節部位を含めた脛部９の範囲の障害を広く予防することを目的としている。
【００５９】
次に、本発明の実施例３において、図２３は、実施例３を示す係留部材付き四本拘束膝カバー弾性保護具２の平面図、図２４は、図２３の側面図、図２５は、図２３の正面図、図２６は、図２３の裏面図、図２７は、実施例３の係留部材付き四本拘束膝カバー弾性保護具２を着用者の膝蓋部８に捲着した取付状態を示す正面図、図２９は、実施例４の係留部材付き四本拘束膝カバー弾性保護具の裏面図である。
【００６０】
本発明の実施例３は、着用者の大腿部５、大腿下部６、膝蓋部８、脛上部１０、脛部９に対面するように形成された膝カバー弾性部材２０と、大腿下部６に対面する前記膝カバー弾性部材２０の上部表面に片方の端部を取付けて、他方の端部の上部主係止端部２９を外方向に伸ばして配置した上部主拘束弾性部材２５と、脛上部１０に対面する前記膝カバー弾性部材２０の下部表面に、前記上部主拘束弾性部材２５と平行で、反対方向に片方の端部を取付けて、他方の端部の下部主係止端部３０を外方向に伸ばして配置した下部主拘束弾性部材２６と、前記上部主拘束弾性部材２５の片方の端部を取り付けた前記膝カバー弾性部材２０の上部表面の直下の裏面に取付け、前記大腿下部６に対面して肌面の窪み部に当接する押圧部４を立設した上部係留部材２１と、前記下部主拘束弾性部材２６の片方の端部を取り付けた前記膝カバー弾性部材２０の下部表面の直下の裏面に取付け、前記脛上部１０に対面して肌面の窪み部に当接する押圧部４を立設した下部係留部材２２と、裏面が大腿部５に接触する前記膝カバー弾性部材２０の上端部表面に、前記上部主拘束弾性部材２５と平行で、反対方向に片方の端部を取付けて、他方の端部の上部副係止端部３１を外方向に伸ばして配置した上部副拘束弾性部材２７と、裏面が脛部９に接触する前記膝カバー弾性部材２０の下端部表面に、前記下部主拘束弾性部材２６と並行で、反対方向に片方の端部を取付けて、他方の端部の下部副係止端部３２を外方向に伸ばして配置した下部副拘束弾性部材２８と、前記上部主係止端部２９、前記下部主係止端部３０、前記上部副係止端部３１、前記下部副係止端部３２の裏面に取り付けた面フアスナー雄（鍵）片２３と、前記上部主拘束弾性部材２５、前記下部主拘束弾性部材２６、前記上部副拘束弾性部材２７、前記下部副拘束弾性部材２８の表面に取り付けた面フアスナー雌（輪）片２４と、を備えたことを特徴とする係留部材付き四本拘束膝カバー弾性保護具２である。
【００６１】
膝カバー弾性部材２０は、上方に大腿部５を配し、下方に足部１１の上の脛部９を配して、大腿部５、大腿下部６、膝蓋部８、脛上部１０、脛部９に対面して取り付けて使用するもので、図２３、図２６、図２７において、仮想線で示す膝蓋部８の上縁肌面である大腿下部６の複数の窪み部と当接する押圧部４を立設する上部係留部材２１（例えば、図示では中央型複数押圧部付き楕円形係留部材１３）と、膝蓋部８の下縁肌面である脛上部１０の複数の窪み部と当接する押圧部４を立設する下部係留部材２２（例えば、図示では接縁型複数押圧部付き楕円形係留部材１２）を膝カバー弾性部材２０の裏面に取り付ける。なお膝カバー弾性部材２０の材質としては、樹脂発泡体、汎用ゴム材料、汎用樹脂、汎用エンプラ、形状記憶樹脂、形状記憶繊維、超弾性合金、形状記憶合金、形状記憶複合材料等を使用する。
【００６２】
なお、図５から明らかのように、上部係留部材２１と下部係留部材２２の各押圧部４の形状は、着用者の年齢、性別、身体の大小等の個人差があるので、例えば、押圧部４の高さを大腿部下部６や大腿部５用のものは低くし、膝蓋部８の下方の脛上部１０用のものは形状を高く製作するとよい。
【００６３】
なお、本発明の実施例３に使用する係留部材３としては、実施例３の図２３〜図２７に示すように、上部係留部材２１に中央型複数押圧部付き楕円形係留部材１３、また下部係留部材２２に接縁型複数押圧部付き楕円形係留部材１２がそれぞれ使用されてあるが、これに限定されるものではなく、前記接縁型複数押圧部付き楕円形係留部材１２、中央型複数押圧部付き楕円形係留部材１３を含めて、図１１〜図２２に示すような接縁型単数押圧部付き楕円形係留部材１４、接縁型単数押圧部付き円形係留部材１５、中央型単数押圧部付き円形係留部材１６、中央型単数押圧部付き楕円形係留部材17の内の同種、または、異種の複数の組合せからな係留部材３のいずれかでも使用できるものである。なお係留部材３の材質は、押圧部４の硬度を、指先の硬さ程度にした汎用ゴム材料、汎用エンプラ、汎用樹脂等が使用される。
【００６４】
着する拘束部材として、上部主拘束弾性部材２５は、裏面に上部係留部材２１を取付けた膝カバー弾性部材２０の上部表面に一方の端部を横置きに取付けて、他方の端部の上部主係止端部２９を外方向に伸ばして配置し、一方捲き方式で、前記一方の端部の上から大腿下部６に数回捲き付けることにより、に対する押圧力を強弱調整して、最後に固定するために、前記上部主係止端部２９の裏面に面フアスナー雄（鍵）片２３を取り付け、前記面フアスナー雄（鍵）片２３と係止する面フアスナー雌（輪）片２４を前記上部主拘束弾性部材２５の表面に取付けてある。
【００６５】
また、下部主拘束弾性部材２６は、前記膝カバー弾性部材２０の裏面に取り付けた下部係留部材２２に立設した押圧部４を一方締めにて、脛上部１０の肌面の窪み部に加圧する部材で、前記膝カバー弾性部材２０の上方表面に取り付けた前記上部主拘束弾性部材２５の取付け方向とは逆方向に、一方の端部を前記膝カバー弾性部材２０の下部表面に取り付け、下部主拘束弾性部材２６の下部主係止端部３０を外方向に伸ばして配置し、着用者の年齢、性別、肥満の程度、病状の程度、好みなどにより、脛上部１０の肌面の窪み部に対する押圧力を強弱調整して一方向捲きで脛上部１０に数回捲き付けて後に固定するが、そのために、前記下部主係止端部３０の裏面に面フアスナー雄（鍵）片２３を取り付け、前記下部主拘束弾性部材２６の表面には前記面フアスナー雄（鍵）片２３と係止する面フアスナー雌（輪）片２４が取付けてある。
【００６６】
次に、上部副拘束弾性部材２７は、前記膝カバー弾性部材２０の上部端部の表面に、図２３、図２７に示すように、前記上部主拘束弾性部材２５に並行で反対方向に一方の端部を取付け、他方の上部副係止端部３１を外方向に伸ばした一方捲着方式にして、着用者が膝を屈折する際の前記膝カバー弾性部材２０の引張力で、押圧部４による横方向の圧縮力を窪み部に繰返し負荷することによる大きな作用効果を確実にするために、前記上部副係止端部３１の裏面には、前記上部副拘束弾性部材２６の表面に取付けた面フアスナー雌（輪）片２４と係止する面フアスナー雄（鍵）片２３を取り付け、前記膝カバー弾性部材２０の上部端部を大腿部５に確実に固定できるようにする。
【００６７】
また、下部副拘束弾性部材２８には、前記膝カバー弾性部材２０の下部端部の表面に、図２３、図２７に示すように、前記下部主拘束弾性部材２６に平行で反対方向に一方の端部を取付け、他方の端部の下部副係止端部３２を外方向に伸ばして配置し、前記下部副拘束弾性部材２８にて、前記膝カバー弾性部材２０の下部端部を脛部９に確実に保持するために、前記下部副係止端部３２の裏面には、前記下部副拘束弾性部材２８の表面に取付けた面フアスナー雌（輪）片２４と係止する面フアスナー雄（鍵）片２３が取り付けてある。
【００６８】
本発明の実施例３の使用に際しては、図２７に示すように、先ず、前記膝カバー弾性部材２０の下端部に取付けた前記下部副拘束弾性部材２８を脛部９に右捲きに２回捲きつけて、下部副係止端部３２の裏面に取付けた面フアスナー雄（鍵）片２３を、下部副拘束弾性部材２８の表面に取付けた面フアスナー雌（輪）片２４に係止して仮締めし、次に、下部主拘束弾性部材２６を着用者の個人差に応じた圧力調節が容易な一方捲きで脛上部１０に左捲きに２回捲きつけて、下部係留部材２２に立設した押圧部４を膝蓋部８の下側の脛上部１０肌面の窪み部に圧縮力を加えて保持するが、その際、前記膝カバー弾性部材２０を経て脛上部１０に下部主係止端部３１の裏面に取付けた面フアスナー雄（鍵）片２３を、下部主拘束弾性部材２７の表面に取付けた面フアスナー雌（輪）片２４に係止して確実に固定できるようにし、前記下部副拘束弾性部材２８を最後に増す締めして前記膝カバー弾性部材２０の下端部に取付ける。
【００６９】
次に、前記膝カバー弾性部材２０の上端部を大腿部5の方に引き上げて、上部副拘束弾性部材２６で大腿部５に左捲きに２回捲きつけて上部副係止端部３１の裏面に取付けた面フアスナー雄（鍵）片２３を、上部副拘束弾性部材２７の表面に取付けた面フアスナー雌（輪）片２４に係止して仮締めした後に、上部主拘束弾性部材２５で、大腿下部６に右捲きに２回捲きつけて、前記膝カバー弾性部材２０の裏側の取付けた上部係留部材２１に立設した押圧部４で、当接する着用者の膝蓋部8の上方の大腿下部６の窪み部に、着用者の個人差に応じて強弱調整された圧力を加えて、上部主係止端部２９の裏面に取付けた面フアスナー雄（鍵）片２３を、上部主拘束弾性部材２５の表面に取付けた面フアスナー雌（輪）片２４に係止して確実に固定してから、前記上部副拘束弾性部材２７を増す締めして、着用中に膝カバー弾性部材２０の肌面への取り付けと、前記押圧部４の窪み部との嵌合が緩まないようにする。なお各拘束弾性部材の材質は、汎用エンプラ、汎用ゴム材料、汎用樹脂、形状記憶樹脂、形状記憶繊維等が使用される。
【００７０】
本発明の実施例３は、従来の伸縮可能な膝用サポーターでは極めて困難であったズボンやパンツの上からの着用を容易にする押圧部付き膝カバー弾性部材２０を使用したことにより、何時でも何処でも、ズボンやパンツの上から自由に装着できて、係止端部の碇作用で確実に保持されることから、着用者の膝関節部位の障害を緩和することができる。
【００７１】
また、表面に立設した押圧部の底面の面積よりも大きな底面積を形成した係留部材３を、膝カバー弾性部材２０の裏面に複数取り付けて、限られた弾性部材の引張力を押圧部４に集中して活用し、上部主拘束弾性部材２５や下部主拘束弾性部材２６の一方捲きの押圧調整方式による直下型の圧縮力を、着用者の肌面の窪み部に圧着することができる。
【００７２】
また、前記直下型の圧縮力による効果の他に、膝カバー弾性部材２０の上端部を多重捲き可能な上部副拘束弾性部材２７で、また、膝カバー弾性部材２０の下端部を多重捲き可能な下部部副拘束弾性部材２８で、それぞれ確実に肌面に固定できるので、着用者の動作時における膝の屈折作用で生ずる引張力によって、反力として、膝蓋部８の周りの肌面に平行な横方向の圧縮力が着用者の窪み部に作用するが、本発明の係留部材付き四本拘束膝カバー弾性保護具２では、上部主拘束弾性部材２５と下部主拘束弾性部材２６の肌面への締付力を、膝カバー弾性部材２０の上下両端部を基点とする上部副拘束弾性部材２７や下部副拘束弾性部材２８の肌面への締付力よりも若干弱く調節して使用すれば、前記窪み部内にて往復移動する押圧部４の圧縮力で前記窪み部周辺の靭帯や筋肉を更に柔軟にできる。
【００７３】
図２９は、実施例４の係留部材を取り付けた係留部材付き四本拘束膝カバー弾性保護具の裏面図である。
【００７４】
本発明の実施例４は、図２９に示すように、着用者の大腿部５、大腿下部６、膝蓋部８、脛上部１０、脛部９に対面するように形成された膝カバー弾性部材２０と、大腿下部６に対面する前記膝カバー弾性部材２０の上部表面に片方の端部を取付けて、他方の端部の上部主係止端部２９を外方向に伸ばして配置した上部主拘束弾性部材２５と、脛上部１０に対面する前記膝カバー弾性部材２０の下部表面に、前記上部主拘束弾性部材２５と平行で、反対方向に片方の端部を取付けて、他方の端部の下部主係止端部３０を外方向に伸ばして配置した下部主拘束弾性部材２６と、前記上部主拘束弾性部材２５の片方の端部を取り付けた前記膝カバー弾性部材２０の上部表面の直下の裏面に取付け、前記大腿下部６に対面して肌面の窪み部に当接する押圧部４を立設した上部係留部材２１（図では中央型複数押圧部付き楕円係留部材１３）と、前記下部主拘束弾性部材２６の片方の端部を取り付けた前記膝カバー弾性部材２０の下部表面の直下の裏面に取付け、前記脛上部１０に対面して肌面の窪み部に当接する押圧部４を立設した下部係留部材２２（図では接縁型複数押圧部付き楕円係留部材１２）と、裏面が大腿部５に接触する前記膝カバー弾性部材２０の上端部表面に、前記上部主拘束弾性部材２５と平行で、反対方向に片方の端部を取付けて、他方の端部の上部副係止端部３１を外方向に伸ばして配置した上部副拘束弾性部材２７と、裏面が脛部９に接触する前記膝カバー弾性部材２０の下端部表面に、前記下部主拘束弾性部材２６と並行で、反対方向に片方の端部を取付けて、他方の端部の下部副係止端部３２を外方向に伸ばして配置した下部副拘束弾性部材２８と、前記上部副拘束弾性部材２７の片方の端部を取り付けた前記膝カバー弾性部材２０の上端部表面の直下の裏面に取付け、前記大腿部５に対面して肌面の窪み部に当接する押圧部４を立設した係留部材３（図では中央型単数押圧部付き楕円係留部材１７）と、前記下部副拘束弾性部材２８の片方の端部を取り付けた前記膝カバー弾性部材２０の下端部表面の直下の裏面に取付け、前記脛部９に対面して肌面の窪み部に当接する押圧部４を立設した係留部材３（図では接縁型単数押圧部付き円係留部材１５）と、前記膝カバー弾性部材２０の前記膝蓋部の両側縁部の肌面の窪み部に当接する押圧部４を立設した係留部材３（図では接縁型単数押圧部付き楕円係留部材１４）と、前記膝カバー弾性部材２０の前記膝蓋部８の表面の窪み部に当接する押圧部４を立設した係留部材３（図では中央型単数押圧部付き円係留部材１６）と、前記上部主係止端部２９、前記下部主係止端部３０、前記上部副係止端部３１、前記下部副係止端部３２の裏面に取り付けた面フアスナー雄（鍵）片２３と、前記上部主拘束弾性部材２５、前記下部主拘束弾性部材２６、前記上部副拘束弾性部材２７、前記下部副拘束弾性部材２８の表面に取り付けた面フアスナー雌（輪）片２４と、を備えたことを特徴とする係留部材付き四本拘束膝カバー弾性保護具２である。
【００７５】
本発明の実施例４は、膝カバー弾性部材２０を経て直接に加圧されない着用者の肌面の窪み部用の係留部材３である前記膝カバー弾性部材２０の前記膝蓋部８の両側縁部の肌面の窪み部に当接する押圧部４を立設した係留部材３（図では接縁型単数押圧部付き楕円係留部材１４）と、前記膝カバー弾性部材２０の前記膝蓋部８の表面の窪み部に当接する押圧部４を立設した係留部材３（図では中央型単数押圧部付き円係留部材１６）の各押圧部４は、膝の屈折時に生ずる膝カバー弾性部材２０の引張力で押圧部４が引き寄せられて、前記押圧部４が当接する窪み部に圧縮力を増減することにより、窪み部周辺の靭帯や筋肉を柔軟化できるもので、他の係留部材３の押圧部４は、各拘束弾性部材の捲き締め力によって、当接する窪み部に直下型の圧縮力を強弱調節して負荷できるという効果がある。
【００７６】
本発明の実施例４は、膝カバー弾性部材２０の裏面に、押圧部４を立設した係留部材３の及ぼす拘束機能により、パンツやズボンの上から、本発明を着装できるが、膝カバー弾性部材２０がずれることがなく、膝蓋部８の周縁部の肌面の窪み部に、膝の屈折時に往復繰り返し生ずる横方向の圧縮力と、前記直下型の圧縮力との合成圧縮力が、前記窪み部に垂直から斜め下方向の合成圧縮力として作用し、窪み部付近の靭帯や筋肉の柔軟性を向上するので、毎日使用することにより着用者の膝関節部位周辺の障害の予防を図ることができる。
【００７７】
なお、本発明の実施例４は、膝カバー弾性部材２０に取付ける多種類の係留部材３と膝カバー弾性部材２０と拘束弾性部材を主要部材とすることから、着用者の個人差に応じて、共通部品として製作した係留部材３の押圧部４を各種ピッチに配置した膝カバー弾性部材２０や、形状記憶機能や細孔設定等の各種材料にて引張強度の調整された膝カバー弾性部材２０を個別に製作して在庫し、ユーザーの要望や体質に応じて最適な膝カバー弾性部材２０に、各種の拘束弾性部材を取付けて出荷できるので、製作費の低減と優れた品質保証体制が確立できる。
【符号の説明】
【００７８】
1  係留部材付き二本拘束膝カバー弾性保護具
2  係留部材付き四本拘束膝カバー弾性保護具
3  係留部材
4  押圧部
5  大腿部
6  大腿下部
7  膝部
8  膝蓋部
9  脛部
10  脛上部
11  足部
12  接縁型複数押圧部付き楕円形係留部材
13  中央型複数押圧部付き楕円形係留部材
14  接縁型単数押圧部付き楕円形係留部材
15  接縁型単数押圧部付き円形係留部材
16  中央型単数押圧部付き円形係留部材
17  中央型単数押圧部付き楕円形係留部材
18  楕円形係留部材
19  円形係留部材
20  膝カバー弾性部材
21  上部係留部材
22  下部係留部材
23  面フアスナー雄（鍵）片
24  面フアスナー雌（輪）片
25  上部主拘束弾性部材
26  下部主拘束弾性部材
27  上部副拘束弾性部材
28  下部副拘束弾性部材
29  上部主係止端部
30  下部主係止端部
31  上部副係止端部
32  下部副係止端部
33  係留部材取付孔
【手続補正２】
【補正対象書類名】特許請求の範囲
【補正対象項目名】全文
【補正方法】変更
【補正の内容】
【特許請求の範囲】
【請求項１】
超弾性合金、形状記憶合金、形状記憶複合材料、形状記憶樹脂、形状記憶繊維、樹脂発泡体、汎用ゴム材料、汎用樹脂、汎用エンプラ等を使用し、大腿部、大腿下部、膝蓋部、脛上部、脛部等の脚部の上面部に対面する上面用膝カバー弾性部材、又は、下面部に対面する下面用膝カバー弾性部材のいずれかを、予め、膝を曲げた状態、又は、膝を伸ばした状態にて形状記憶して無ひずみ化し、前記上面用膝カバー弾性部材、又は、下面用膝カバー弾性部材の片面に押圧部を取付け、前記上面用膝カバー弾性部材、又は、前記下面用膝カバー弾性部材を脚部に取付ける拘束弾性部材に形状記憶樹脂、形状記憶繊維、樹脂発泡体、汎用ゴム材料、汎用樹脂、汎用エンプラ等を使用し、前記拘束弾性部材に取付けた面フアスナー〈鍵〉片と、面フアスナー〈雌〉片とを結合して脚部に取り付ける係留部材付き膝カバー弾性保護具であって、膝を曲げた状態を形状記憶した上面用膝カバー弾性部材、又は、前記下面用膝カバー弾性部材のいずれかを、膝の屈伸動作時に生ずる前記形状記憶された膝カバー弾性部材の復元力を利用して、前記上面用膝カバー弾性部材、又は、前記下面用膝カバー弾性部材に取付けた押圧部で、膝蓋骨周辺の窪み部(ツボ)に圧縮力を繰り返し増減して加えることを特徴とした係留部材付き膝カバー弾性保護具。
【手続補正３】
【補正対象書類名】要約書
【補正対象項目名】全文
【補正方法】変更
【補正の内容】
【要約】
【要約】
【課題】膝の屈折動作の脚力を利用して形状記憶した膝カバー弾性部材を使用し、膝蓋部周辺の靭帯や筋肉の柔軟性を向上して、脚部の健康を増進する膝カバー弾性保護具。
【解決手段】押圧部を取付けた形状記憶した膝カバー弾性部材と、前記膝カバー弾性部材の上部表面に一端を取付けて他端部を外方に延長した上部拘束弾性部材と、膝カバー弾性部材の下部表面に前記上部拘束弾性部材に平行で反対方向に取り付けて、他端部を外方向に延長した下部主拘束弾性部材と、前記上部主拘束部材、下部拘主束部材に取り付けた面フアスナー雄（鍵）片と係止する面フアスナー雌（輪）片と、を備えて、脚部に装着して使用中に、膝の屈折動作時に生ずる形状記憶した膝カバー弾性部材の復元力で、脚部のツボに動的圧縮力を加えるように構成する。